(57)【特許請求の範囲】
【請求項１】
編まれた伸縮性糸により伸縮自在に形成され、濾過対象液に含まれる固体粒子を分離するための筒状フィルタと、
前記筒状フィルタが装着される筒状に形成されたフィルタサポートと、
前記筒状フィルタが装着された状態の前記フィルタサポートを、その長さ方向を上下方向に向けて収容するためのフィルタケースとを有しており、
前記フィルタサポートは、前記筒状フィルタの一端部が折り返すように取り付けられる上取付リング部と、前記筒状フィルタの他端部が折り返すように取り付けられる下取付リング部と、前記上取付リング部と前記下取付リング部とを接続するとともに、前記筒状フィルタで濾過した後の濾液あるいは濾過対象液を通過させる複数の通過開口を具備する上下接続部とを有しており、
前記フィルタケースは、前記フィルタサポートが上部開口を介して挿脱される筒状に形成されたケース本体と、前記ケース本体の上部開口を覆うために前記ケース本体に着脱自在に取り付けられる上蓋と、前記フィルタサポートを下方から支持するためにその長さ方向を上下方向に向けて前記ケース本体の内部に配設され筒状に形成されたサポート支持部と、濾過対象液を内部に導くための流入口と、前記流入口よりも下方に設けられ、前記筒状フィルタにより濾過した後の濾液を外部に流出させるための流出口と、前記流出口よりも下方に設けられ、常時は閉状態とされたバルブが接続され、前記筒状フィルタにより分離した固体粒子を外部に排出させるための排出口とを有していることを特徴とする濾過装置。
【請求項２】
前記フィルタケースは、前記流出口よりも上方に設けられ、前記筒状フィルタの目詰まりを除去する洗浄流体を内部に導くための供給口を有していることを特徴とする請求項１に記載の濾過装置。
【請求項３】
前記上蓋には、前記上蓋を上下方向に貫通する流入管が設けられ、この流入管の上端部に前記流入口が設けられ、前記流入管の下端部は、前記上取付リング部の内側に配置されており、
前記ケース本体の下部には、前記ケース本体の内外を連通する流出管が設けられており、この流出管の先端部に前記流出口が設けられており、
前記フィルタケースは、前記ケース本体の下部開口を閉塞するケース底部を有しており、
前記サポート支持部は、その下部が前記ケース底部を貫通して前記ケース本体の下方に突出され、その下端部に前記排出口が設けられており、
前記筒状フィルタは、その一端部が前記上取付リング部に外側に折り返すように取り付けられ、他端部が前記下取付リング部に外側に折り返すように取り付けられていることにより、前記フィルタサポートの内側に装着されており、
前記流入口から前記フィルタケースの内部に流入した濾過対象液は、前記筒状フィルタを内側から外側に向かって通過するように形成されていることを特徴とする請求項１または２に記載の濾過装置。
【請求項４】
前記フィルタケースは、前記ケース本体の内側に装着される透明なプラスチックにより筒状に形成された内ケースを有しており、
前記ケース本体には、前記内ケースを通して前記筒状フィルタを外部から視認できる内外を連通するのぞき窓が形成されていることを特徴とする請求項３に記載の濾過装置。
【請求項５】
前記上蓋には、前記上蓋を上下方向に貫通する流入管が設けられており、この流入管の上端部に前記流入口が設けられ、前記流入管の下端部は、前記上取付リング部の内側に配置されており、
前記ケース本体の下部には、前記ケース本体の内外を連通する流出管が設けられ、この流出管の先端部に前記流出口が設けられており、
前記フィルタケースは、前記ケース本体の下部開口を閉塞するケース底部を有しており、
前記サポート支持部は、その下部が前記ケース底部を貫通して前記ケース本体の下方に突出され、その下端部に前記排出口が設けられており、
前記筒状フィルタは、その一端部が前記上取付リング部に内側に折り返すように取り付けられ、他端部が前記下取付リング部に内側に折り返すように取り付けられていることにより、前記フィルタサポートの外側に装着されており、
前記流入口から前記フィルタケースの内部に流入した濾過対象液は、前記筒状フィルタを内側から外側に向かって通過するように形成されていることを特徴とする請求項１または２に記載の濾過装置。
【請求項６】
前記ケース本体の内部には、前記筒状フィルタが膨張しても筒状フィルタの編み目が拡大して固体粒子が通過する状態になるのを防止するための筒状網体が少なくとも前記上下接続部を囲うように配置されていることを特徴とする請求項５に記載の濾過装置。
【請求項７】
前記ケース本体の上部には、前記ケース本体の内外を連通する流入管が設けられ、この流入管の先端部に前記流入口が設けられており、
前記サポート支持部は、その下部開口を閉塞するサポート底壁部を有しており、
前記ケース本体の下部には、前記ケース本体の外側と前記サポート支持部の内部とを連通する流出管が設けられ、この流出管の先端部に前記流出口が設けられており、
前記ケース本体の下端部には、上下方向に沿って延在する排出管の上端部が接続され、この排出管の下端部に前記排出口が設けられており、
前記筒状フィルタは、その一端部が前記上取付リング部に内側に折り返すように取り付けられ、他端部が前記下取付リング部に内側に折り返すように取り付けられていることにより、前記フィルタサポートの外側に装着されており、
前記流入口から前記フィルタケースの内部に流入した濾過対象液は、前記筒状フィルタを外側から内側に向かって通過するように形成されていることを特徴とする請求項１または２に記載の濾過装置。
【請求項８】
前記上蓋の下面には、前記上蓋を前記ケース本体に取り付けたときに、前記上取付リング部との間で前記筒状フィルタを挟持するゴム様弾性体により形成された押圧リングが設けられていることを特徴とする請求項３ないし７のいずれか１項に記載の濾過装置。
【請求項９】
前記フィルタケースは、前記ケース本体の上端部および前記上蓋の外周部のそれぞれに設けられた連結用フランジ部と、前記両連結用フランジ部の対向面間に配置されたガスケットと、前記両連結用フランジ部を着脱自在に締結するための締結部材とを有しており、
前記上蓋には、前記上蓋を上下方向に貫通する第１流入管がその下部開口を前記フィルタサポートの上部開口と対向するように設けられ、この第１流入管の上端部に前記流入口が設けられており、
前記ケース本体は、その内面の開口端側に、前記上取付リング部を位置決め支持するための環状上支持部を有しており、
前記ケース本体の上部開口と前記環状上支持部との間には、前記ケース本体の内外を連通する第２流入管が設けられ、この第２流入管の先端部にも前記流入口が設けられており、
前記ケース本体の下部には、前記ケース本体の内外を連通する流出管が設けられ、この流出管の先端部に前記流出口が設けられており、
前記ケース本体は、その下部開口を閉塞するケース底部を有しており、
前記サポート支持部は、その下部が前記ケース底部を貫通して前記ケース本体の下方に突出され、その下端部に前記排出口が設けられており、
前記筒状フィルタは、その一端部が前記上取付リング部に外側に折り返すように取り付けられ、他端部が前記下取付リング部に外側に折り返すように取り付けられていることにより、前記フィルタサポートの内側に装着されており、
前記第１流入管に設けられた前記流入口および前記第２流入管に設けられた前記流入口の一方が選択使用可能とされており、
前記フィルタケースは、前記締結部材をもって前記ケース本体の連結用フランジ部と前記上蓋の連結用フランジ部とを締結することにより前記ケース本体に前記上蓋を取り付けるとともに、前記ケース本体と前記上蓋との間を前記ガスケットでシールすることにより、濾過対象液を前記フィルタケースの内部に吸引可能に形成されており、
前記流入口から前記フィルタケースの内部に流入した濾過対象液は、前記筒状フィルタを内側から外側に向かって通過するように形成されていることを特徴とする請求項１または２に記載の濾過装置。
【請求項１０】
前記フィルタケースは、前記ケース本体の上端部および前記上蓋の外周部のそれぞれに設けられた連結用フランジ部と、前記両連結用フランジ部の対向面間に配置されたガスケットと、前記両連結用フランジ部を着脱自在に締結するための締結部材とを有しており、
前記ケース本体は、その内面の上部開口側に、前記上取付リング部を位置決め支持するための環状上支持部を有しており、
前記ケース本体の前記環状上支持部より下方には、前記ケース本体の内外を連通する流入管が設けられ、この流入管の先端部に前記流入口が設けられており、
前記サポート支持部は、その下部開口を閉塞するサポート底壁部を有しており、
前記ケース本体の下部には、前記ケース本体の外側と前記サポート支持部の内部とを連通する流出管が設けられ、この流出管の先端部に前記流出口が設けられており、
前記ケース本体の下端部には、上下方向に沿って延在する排出管の上端部が接続され、この排出管の下端部に前記排出口が設けられており、
前記筒状フィルタは、その一端部が前記上取付リング部に内側に折り返すように取り付けられ、他端部が前記下取付リング部に内側に折り返すように取り付けられていることにより、前記フィルタサポートの外側に装着されており、
前記フィルタケースは、前記締結部材をもって前記ケース本体の連結用フランジ部と前記上蓋の連結用フランジ部とを締結することにより前記ケース本体に前記上蓋を取り付けるとともに、前記ケース本体と前記上蓋との間を前記ガスケットでシールすることにより、濾過対象液を前記フィルタケースの内部に吸引可能に形成されており、
前記流入口から前記フィルタケースの内部に流入した濾過対象液は、前記筒状フィルタを外側から内側に向かって通過するように形成されていることを特徴とする請求項１または２に記載の濾過装置。
【請求項１１】
前記上蓋の下面と前記上取付リング部との間には、前記上蓋を前記ケース本体に取り付けたときに、前記フィルタサポートを下方に向かって付勢する付勢部材が配設されていることを特徴とする請求項９または１０に記載の濾過装置。
【発明の詳細な説明】
【技術分野】
【０００１】
本発明は、濾過対象液に含まれる固体粒子をフィルタにより分離するのに好適な濾過装置に関する。
【背景技術】
【０００２】
従来から、濾過対象液に含まれる固体粒子を袋状フィルタ（バッグフィルタ）を用いて分離する工業用の濾過装置が知られている（例えば、特許文献１参照。）。
【０００３】
この濾過装置は、例えば、工作機械における加工部分の冷却、潤滑、洗浄などに循環使用されるクーラント、切削油、研削液、洗浄液などの濾過対象液に含まれる切り粉、研磨粉などの加工粉（加工屑）からなる所定の大きさ以上の固体粒子を分離するのに用いられている。
【０００４】
従来の濾過装置で濾過対象液の濾過を行うと、袋状フィルタの内側に分離された固体粒子が堆積して目詰まりするので、袋状フィルタが目詰まりして濾過機能を発揮できなくなったときには、袋状フィルタの交換を行うようになっている。
【０００５】
このような従来の濾過装置においては、袋状フィルタが目詰まりするまでの期間である寿命（使用可能時間）が短く、しかも袋状フィルタの着脱に時間と労力を必要とし、袋状フィルタの着脱を作業者が容易に行うことができないという問題点があることが知られている。
【０００６】
そこで、本出願人は、袋状フィルタの寿命が従来より長く、しかも袋状フィルタの着脱を作業者が容易に行うことができ、作業者による使い勝手のよい濾過装置を提案した（例えば、特許文献２参照）。
【先行技術文献】
【特許文献】
【０００７】
【特許文献１】特開２００３−１５４２１３号公報
【特許文献２】特開２０１０−１８４１７０号公報
【発明の概要】
【発明が解決しようとする課題】
【０００８】
ところで、近年においては、従来のものよりフィルタの交換頻度のさらに少ない濾過装置が求められている。
【０００９】
本発明はこのような点に鑑みてなされたものであり、フィルタの交換頻度の少ない濾過装置を提供することを目的とする。
【課題を解決するための手段】
【００１０】
前述した目的を達成するため、特許請求の範囲の請求項１に記載の本発明の濾過装置の特徴は、編まれた伸縮性糸により伸縮自在に形成され、濾過対象液に含まれる固体粒子を分離するための筒状フィルタと、前記筒状フィルタが装着される筒状に形成されたフィルタサポートと、前記筒状フィルタが装着された状態の前記フィルタサポートを、その長さ方向を上下方向に向けて収容するためのフィルタケースとを有しており、前記フィルタサポートは、前記筒状フィルタの一端部が折り返すように取り付けられる上取付リング部と、前記筒状フィルタの他端部が折り返すように取り付けられる下取付リング部と、前記上取付リング部と前記下取付リング部とを接続するとともに、前記筒状フィルタで濾過した後の濾液あるいは濾過対象液を通過させる複数の通過開口を具備する上下接続部とを有しており、前記フィルタケースは、前記フィルタサポートが上部開口を介して挿脱される筒状に形成されたケース本体と、前記ケース本体の上部開口を覆うために前記ケース本体に着脱自在に取り付けられる上蓋と、前記フィルタサポートを下方から支持するためにその長さ方向を上下方向に向けて前記ケース本体の内部に配設され筒状に形成されたサポート支持部と、濾過対象液を内部に導くための流入口と、前記流入口よりも下方に設けられ、前記筒状フィルタにより濾過した後の濾液を外部に流出させるための流出口と、前記流出口よりも下方に設けられ、常時は閉状態とされたバルブが接続され、前記筒状フィルタにより分離した固体粒子を外部に排出させるための排出口とを有している点にある。
【００１１】
そして、このような構成を採用したことにより、筒状フィルタは、その編み目によって濾過対象液に含まれる所定の大きさ以上の固体粒子を分離することができる。また、編まれた伸縮性糸により伸縮自在に形成された筒状フィルタは、筒状フィルタの分離された固体粒子の堆積による目詰まりの進行にともなって編み目が拡大して、濾過機能の低下や流量の低下を軽減することができるし、筒状フィルタの下端側から目詰まりが生じても、筒状フィルタの目詰まりしていない上端側により濾過機能が保持されるので、全体として初期の濾過機能を長期間に亘って保持することができる。さらに、フィルタサポートは、筒状フィルタを容易に着脱することができる。また、流入口は、フィルタケースの内部に濾過対象液を円滑かつ確実に流入させることができる。さらに、流出口は、筒状フィルタを通過した濾液を円滑かつ確実に流出させることができる。さらにまた、常時は閉状態とされたバルブに接続されている排出口は、常時は筒状フィルタにより分離した固体粒子をフィルタケースの内部に堆積させることができ、バルブを開状態とする簡便な操作により、フィルタケースの内部に堆積した固体粒子を排出口を介して外部に確実に排出させることができる。すなわち、フィルタケースから筒状フィルタを取り外すことなく、筒状フィルタにより分離して堆積した固体粒子を排出口を介して外部に排出することができるので、従来のものよりフィルタの交換頻度をさらに少なくすることができる。よって、フィルタの寿命を従来に比べて長くすることができるし、作業者による使い勝手の向上を容易に図ることができる。
【００１２】
請求項２に記載の本発明の濾過装置の特徴は、請求項１において、前記フィルタケースは、前記流出口よりも上方に設けられ、前記筒状フィルタの目詰まりを除去する洗浄流体を内部に導くための供給口を有している点にある。
【００１３】
そして、このような構成を採用したことにより、供給口は、ケース本体に上蓋を取り付けた状態で、目詰まりを除去する洗浄流体をフィルタケースの内部に容易かつ確実に供給することができる。また、フィルタケースの内部に供給された洗浄流体は、筒状フィルタの編み目に目詰まりした固体粒子を除去することができる。その結果、筒状フィルタの交換頻度をより少なくすることができるので、フィルタの寿命をより長くすることができるし、作業者による使い勝手をより向上することができる。
【００１４】
請求項３に記載の本発明の濾過装置の特徴は、請求項１または２において、前記上蓋には、前記上蓋を上下方向に貫通する流入管が設けられ、この流入管の上端部に前記流入口が設けられ、前記流入管の下端部は、前記上取付リング部の内側に配置されており、前記ケース本体の下部には、前記ケース本体の内外を連通する流出管が設けられており、この流出管の先端部に前記流出口が設けられており、前記フィルタケースは、前記ケース本体の下部開口を閉塞するケース底部を有しており、前記サポート支持部は、その下部が前記ケース底部を貫通して前記ケース本体の下方に突出され、その下端部に前記排出口が設けられており、前記筒状フィルタは、その一端部が前記上取付リング部に外側に折り返すように取り付けられ、他端部が前記下取付リング部に外側に折り返すように取り付けられていることにより、前記フィルタサポートの内側に装着されており、前記流入口から前記フィルタケースの内部に流入した濾過対象液は、前記筒状フィルタを内側から外側に向かって通過するように形成されている点にある。
【００１５】
そして、このような構成を採用したことにより、フィルタサポートの内側に筒状フィルタを容易に装着することができるし、濾過対象液を流入口から筒状フィルタの内側に導く流入経路と、筒状フィルタで濾過した後の濾液を筒状フィルタの外側を介して流出口に導く流出経路と、筒状フィルタで分離した固体粒子を筒状フィルタの内側を介して排出口に導く排出径路とを確実に得ることができる。
【００１６】
請求項４に記載の本発明の濾過装置の特徴は、請求項３において、前記フィルタケースは、前記ケース本体の内側に装着される透明なプラスチックにより筒状に形成された内ケースを有しており、前記ケース本体には、前記内ケースを通して前記筒状フィルタを外部から視認できる内外を連通するのぞき窓が形成されている点にある。
【００１７】
そして、このような構成を採用したことにより、のぞき窓により筒状フィルタを外部から視認することができるので、筒状フィルタの目詰まりの具合が容易に分かるし、筒状フィルタで分離した固体粒子の排出時期が容易に分かる。
【００１８】
請求項５に記載の本発明の濾過装置の特徴は、請求項１または２において、前記上蓋には、前記上蓋を上下方向に貫通する流入管が設けられており、この流入管の上端部に前記流入口が設けられ、前記流入管の下端部は、前記上取付リング部の内側に配置されており、前記ケース本体の下部には、前記ケース本体の内外を連通する流出管が設けられ、この流出管の先端部に前記流出口が設けられており、前記フィルタケースは、前記ケース本体の下部開口を閉塞するケース底部を有しており、前記サポート支持部は、その下部が前記ケース底部を貫通して前記ケース本体の下方に突出され、その下端部に前記排出口が設けられており、前記筒状フィルタは、その一端部が前記上取付リング部に内側に折り返すように取り付けられ、他端部が前記下取付リング部に内側に折り返すように取り付けられていることにより、前記フィルタサポートの外側に装着されており、前記流入口から前記フィルタケースの内部に流入した濾過対象液は、前記筒状フィルタを内側から外側に向かって通過するように形成されている点にある。
【００１９】
そして、このような構成を採用したことにより、フィルタサポートの外側に筒状フィルタを容易に装着することができるし、濾過対象液を流入口から筒状フィルタの内側に導く流入経路と、筒状フィルタで濾過した後の濾液を筒状フィルタの外側を介して流出口に導く流出経路と、筒状フィルタで分離した固体粒子を筒状フィルタの内側を介して排出口に導く排出径路とを確実に得ることができる。
【００２０】
請求項６に記載の本発明の濾過装置の特徴は、請求項５において、前記ケース本体の内部には、前記筒状フィルタが膨張しても筒状フィルタの編み目が拡大して固体粒子が通過する状態になるのを防止するための筒状網体が少なくとも前記上下接続部を囲うように配置されている点にある。
【００２１】
そして、このような構成を採用したことにより、筒状フィルタの編み目が拡大して固体粒子が通過する状態になるのを防止することができる。
【００２２】
請求項７に記載の本発明の濾過装置の特徴は、請求項１または２において、前記ケース本体の上部には、前記ケース本体の内外を連通する流入管が設けられ、この流入管の先端部に前記流入口が設けられており、前記サポート支持部は、その下部開口を閉塞するサポート底壁部を有しており、前記ケース本体の下部には、前記ケース本体の外側と前記サポート支持部の内部とを連通する流出管が設けられ、この流出管の先端部に前記流出口が設けられており、前記ケース本体の下端部には、上下方向に沿って延在する排出管の上端部が接続され、この排出管の下端部に前記排出口が設けられており、前記筒状フィルタは、その一端部が前記上取付リング部に内側に折り返すように取り付けられ、他端部が前記下取付リング部に内側に折り返すように取り付けられていることにより、前記フィルタサポートの外側に装着されており、前記流入口から前記フィルタケースの内部に流入した濾過対象液は、前記筒状フィルタを外側から内側に向かって通過するように形成されている点にある。
【００２３】
そして、このような構成を採用したことにより、フィルタサポートの外側に筒状フィルタを容易に装着することができるし、濾過対象液を流入口から筒状フィルタの外側に導く流入経路と、筒状フィルタで濾過した後の濾液を筒状フィルタの内側を介して流出口に導く流出経路と、筒状フィルタで分離した固体粒子を筒状フィルタの外側を介して排出口に導く排出径路とを確実に得ることができる。
【００２４】
請求項８に記載の本発明の濾過装置の特徴は、請求項３ないし７のいずれか１項において、前記上蓋の下面には、前記上蓋を前記ケース本体に取り付けたときに、前記上取付リング部との間で前記筒状フィルタを挟持するゴム様弾性体により形成された押圧リングが設けられている点にある。
【００２５】
そして、このような構成を採用したことにより、上蓋をケース本体に取り付けるという簡単な操作により、筒状フィルタを上取付リング部と押圧リングとの間で容易かつ確実に挟持することができる。
【００２６】
請求項９に記載の本発明の濾過装置の特徴は、請求項１または２において、前記フィルタケースは、前記ケース本体の上端部および前記上蓋の外周部のそれぞれに設けられた連結用フランジ部と、前記両連結用フランジ部の対向面間に配置されたガスケットと、前記両連結用フランジ部を着脱自在に締結するための締結部材とを有しており、前記上蓋には、前記上蓋を上下方向に貫通する第１流入管がその下部開口を前記フィルタサポートの上部開口と対向するように設けられ、この第１流入管の上端部に前記流入口が設けられており、前記ケース本体は、その内面の開口端側に、前記上取付リング部を位置決め支持するための環状上支持部を有しており、前記ケース本体の上部開口と前記環状上支持部との間には、前記ケース本体の内外を連通する第２流入管が設けられ、この第２流入管の先端部にも前記流入口が設けられており、前記ケース本体の下部には、前記ケース本体の内外を連通する流出管が設けられ、この流出管の先端部に前記流出口が設けられており、前記ケース本体は、その下部開口を閉塞するケース底部を有しており、前記サポート支持部は、その下部が前記ケース底部を貫通して前記ケース本体の下方に突出され、その下端部に前記排出口が設けられており、前記筒状フィルタは、その一端部が前記上取付リング部に外側に折り返すように取り付けられ、他端部が前記下取付リング部に外側に折り返すように取り付けられていることにより、前記フィルタサポートの内側に装着されており、前記第１流入管に設けられた前記流入口および前記第２流入管に設けられた前記流入口の一方が選択使用可能とされており、前記フィルタケースは、前記締結部材をもって前記ケース本体の連結用フランジ部と前記上蓋の連結用フランジ部とを締結することにより前記ケース本体に前記上蓋を取り付けるとともに、前記ケース本体と前記上蓋との間を前記ガスケットでシールすることにより、濾過対象液を前記フィルタケースの内部に吸引可能に形成されており、前記流入口から前記フィルタケースの内部に流入した濾過対象液は、前記筒状フィルタを内側から外側に向かって通過するように形成されている点にある。
【００２７】
そして、このような構成を採用したことにより、フィルタサポートの内側に筒状フィルタを容易に装着することができるし、濾過対象液を流入口から筒状フィルタの内側に導く流入経路と、筒状フィルタで濾過した後の濾液を筒状フィルタの外側を介して流出口に導く流出経路と、筒状フィルタで分離した固体粒子を筒状フィルタの内側を介して排出口に導く排出径路とを確実に得ることができる。さらに、上蓋とケース本体との２箇所に流入口が設けられているので、２つの流入口を配管仕様により使い分けすることができる。例えば、流入口に接続する配管が可撓性を有していない場合には、ケース本体に設けられた流入口を使用することで、上蓋の着脱を容易にできる。さらにまた、ケース本体と上蓋との間をガスケットでシールすることができるから、濾過対象液をフィルタケースの内部に吸引して濾液を強制的に流出させることができ、濾過効率の向上を容易に図ることができる。
【００２８】
請求項１０に記載の本発明の濾過装置の特徴は、請求項１または２において、前記フィルタケースは、前記ケース本体の上端部および前記上蓋の外周部のそれぞれに設けられた連結用フランジ部と、前記両連結用フランジ部の対向面間に配置されたガスケットと、前記両連結用フランジ部を着脱自在に締結するための締結部材とを有しており、前記ケース本体は、その内面の上部開口側に、前記上取付リング部を位置決め支持するための環状上支持部を有しており、前記ケース本体の前記環状上支持部より下方には、前記ケース本体の内外を連通する流入管が設けられ、この流入管の先端部に前記流入口が設けられており、前記サポート支持部は、その下部開口を閉塞するサポート底壁部を有しており、前記ケース本体の下部には、前記ケース本体の外側と前記サポート支持部の内部とを連通する流出管が設けられ、この流出管の先端部に前記流出口が設けられており、前記ケース本体の下端部には、上下方向に沿って延在する排出管の上端部が接続され、この排出管の下端部に前記排出口が設けられており、前記筒状フィルタは、その一端部が前記上取付リング部に内側に折り返すように取り付けられ、他端部が前記下取付リング部に内側に折り返すように取り付けられていることにより、前記フィルタサポートの外側に装着されており、前記フィルタケースは、前記締結部材をもって前記ケース本体の連結用フランジ部と前記上蓋の連結用フランジ部とを締結することにより前記ケース本体に前記上蓋を取り付けるとともに、前記ケース本体と前記上蓋との間を前記ガスケットでシールすることにより、濾過対象液を前記フィルタケースの内部に吸引可能に形成されており、前記流入口から前記フィルタケースの内部に流入した濾過対象液は、前記筒状フィルタを外側から内側に向かって通過するように形成されている点にある。
【００２９】
そして、このような構成を採用したことにより、フィルタサポートの外側に筒状フィルタを容易に装着することができるし、濾過対象液を流入口から筒状フィルタの外側に導く流入経路と、筒状フィルタで濾過した後の濾液を筒状フィルタの内側を介して流出口に導く流出経路と、筒状フィルタで分離した固体粒子を筒状フィルタの外側を介して排出口に導く排出径路とを確実に得ることができる。さらに、ケース本体と上蓋との間をガスケットでシールすることができるから、濾過対象液をフィルタケースの内部に吸引して濾液を強制的に流出させることができるので、濾過効率の向上を容易に図ることができる。
【００３０】
請求項１１に記載の本発明の濾過装置の特徴は、請求項９または１０において、前記上蓋の下面と前記上取付リング部との間には、前記上蓋を前記ケース本体に取り付けたときに、前記フィルタサポートを下方に向かって付勢する付勢部材が配設されている点にある。
【００３１】
そして、このような構成を採用したことにより、フィルタサポートが浮き上がるのを確実かつ容易に防止することができる。
【発明の効果】
【００３２】
請求項１に記載の本発明の濾過装置によれば、フィルタの交換頻度を少なくできるなどの優れた効果を奏する。
【００３３】
請求項２に記載の本発明の濾過装置によれば、ケース本体に上蓋を取り付けた状態で、洗浄流体をフィルタケースの内部に供給して筒状フィルタの編み目に目詰まりした固体粒子を除去できるなどの優れた効果を奏する。
【００３４】
請求項３に記載の本発明の濾過装置によれば、フィルタサポートの内側に筒状フィルタを容易に装着することができるし、濾過対象液を流入口から筒状フィルタの内側に導く流入経路と、筒状フィルタで濾過した後の濾液を筒状フィルタの外側を介して流出口に導く流出経路と、筒状フィルタで分離した固体粒子を筒状フィルタの内側を介して排出口に導く排出径路とを確実に得ることができるなどの優れた効果を奏する。
【００３５】
請求項４に記載の本発明の濾過装置によれば、のぞき窓により筒状フィルタを外部から視認することができるので、筒状フィルタの目詰まりの具合が容易に分かるし、筒状フィルタで分離した固体粒子の排出時期が容易に分かるなどの優れた効果を奏する。
【００３６】
請求項５に記載の本発明の濾過装置によれば、フィルタサポートの外側に筒状フィルタを容易に装着することができるし、濾過対象液を流入口から筒状フィルタの内側に導く流入経路と、筒状フィルタで濾過した後の濾液を筒状フィルタの外側を介して流出口に導く流出経路と、筒状フィルタで分離した固体粒子を筒状フィルタの内側を介して排出口に導く排出径路とを確実に得ることができるなどの優れた効果を奏する。
【００３７】
請求項６に記載の本発明の濾過装置によれば、筒状フィルタの編み目が拡大して固体粒子が通過する状態になるのを防止することができるなどの優れた効果を奏する。
【００３８】
請求項７に記載の本発明の濾過装置によれば、フィルタサポートの外側に筒状フィルタを容易に装着することができるし、濾過対象液を流入口から筒状フィルタの外側に導く流入経路と、筒状フィルタで濾過した後の濾液を筒状フィルタの内側を介して流出口に導く流出経路と、筒状フィルタで分離した固体粒子を筒状フィルタの外側を介して排出口に導く排出径路とを確実に得ることができるなどの優れた効果を奏する。
【００３９】
請求項８に記載の本発明の濾過装置によれば、上蓋をケース本体に取り付けるという簡単な操作により、筒状フィルタを上取付リング部と押圧リングとの間で挟持することができるなどの優れた効果を奏する。
【００４０】
請求項９に記載の本発明の濾過装置によれば、フィルタサポートの内側に筒状フィルタを容易に装着することができるし、濾過対象液を流入口から筒状フィルタの内側に導く流入経路と、筒状フィルタで濾過した後の濾液を筒状フィルタの外側を介して流出口に導く流出経路と、筒状フィルタで分離した固体粒子を筒状フィルタの内側を介して排出口に導く排出径路とを確実に得ることができるし、２つの流入口を配管仕様により使い分けすることができるし、濾過対象液をフィルタケースの内部に吸引して濾液を強制的に流出させることができるので、濾過効率の向上を容易に図ることができるなどの優れた効果を奏する。
【００４１】
請求項１０に記載の本発明の濾過装置によれば、フィルタサポートの外側に筒状フィルタを容易に装着することができるし、濾過対象液を流入口から筒状フィルタの外側に導く流入経路と、筒状フィルタで濾過した後の濾液を筒状フィルタの内側を介して流出口に導く流出経路と、筒状フィルタで分離した固体粒子を筒状フィルタの外側を介して排出口に導く排出径路とを確実に得ることができるし、濾過対象液をフィルタケースの内部に吸引して濾液を強制的に流出させることができるので、濾過効率の向上を容易に図ることができるなどの優れた効果を奏する。
【００４２】
請求項１１に記載の本発明の濾過装置によれば、上蓋をケース本体に取り付けるという簡単な操作により、フィルタサポートが浮き上がるのを防止することができるなどの優れた効果を奏する。
【図面の簡単な説明】
【００４３】
【図１】本発明に係る濾過装置の第１実施形態の要部を示す概略構成断面図
【図２】図１のフィルタサポートの要部を示す外観斜視図
【図３】図１のフィルタサポートの変形例を示す断面図
【図４】図１のフィルタサポートの他の変形例を示す外観斜視図
【図５】図１のフィルタサポートのさらに他の変形例を示す分解斜視図
【図６】図１のケース本体に対する上蓋の取付状態の要部を示す平面図
【図７】図１の上蓋取付構造の変形例の要部を示す分解外観図
【図８】図１のサポート位置決め部材の近傍を示す平面図
【図９】図１のサポート位置決め部材の変形例を示す図８と同様の図
【図１０】図１の濾過装置を用いた濾過システムの一例の要部を示す模式図
【図１１】本発明に係る濾過装置の第２実施形態の要部を示す図１と同様の図
【図１２】図１１のケース本体の要部を示す斜視図
【図１３】本発明に係る濾過装置の第３実施形態の要部を示す図１と同様の図
【図１４】図１３の濾過装置を用いた濾過システムの一例の要部を示す図１０と同様の図
【図１５】本発明に係る濾過装置の第４実施形態の要部を示す図１と同様の図
【図１６】図１５の濾過装置を用いた濾過システムの一例の要部を示す図１０と同様の図
【図１７】本発明に係る濾過装置の第５実施形態の要部を示す図１と同様の図
【図１８】図１７の濾過装置を用いた濾過システムの一例の要部を示す図１０と同様の図であり、（ａ）は第１流入管の開口を流入口として選択した場合、（ｂ）は第２流入管の開口を流入口として選択した場合
【図１９】本発明に係る濾過装置の第６実施形態の要部を示す図１と同様の図
【図２０】図１９の濾過装置を用いた濾過システムの一例の要部を示す図１０と同様の図
【発明を実施するための形態】
【００４４】
以下、本発明を図面に示す実施形態により説明する。
【００４５】
（第１実施形態）
図１から図９は、本発明に係る濾過装置の第１実施形態を示すものである。
【００４６】
本実施形態の濾過装置は、工作機械において循環使用されるクーラントの濾過に用いられるものを例示している。
【００４７】
図１に示すように、本実施形態の濾過装置１は、濾過対象液としての工作機械における加工部分の冷却に使用されたクーラントである原液Ｇ（図１０参照）に含まれる固体粒子としての加工粉Ｋ（図１０参照）を分離するための濾材としての筒状フィルタ２と、この筒状フィルタ２が装着されるフィルタサポート３と、筒状フィルタ２が装着された状態のフィルタサポート３を、その長さ方向を上下方向に向けて収容するためのフィルタケース４とを有している。
【００４８】
前記筒状フィルタ２は、編まれた伸縮性糸により伸縮自在に形成されている。この伸縮性糸は、弾性ソックスや弾性ストッキングなどに用いられるものであり、弾性繊維（エラストマー繊維）に合成繊維を組み合わせて形成されたものである。例えば、弾性繊維としてのポリウレタン弾性繊維（スパンデックス）に、ポリアミド（ナイロン）、ポリエステルなどの合成繊維のフィラメント数の多いハイマルチタイプ（１フィラメントが１．４５デニールより細い糸）をカバーリングしたシングルカバーリングヤーン（ＳＣＹ２０  ＷＮ  ７０／４８）を挙げることができる。また、ポリウレタン弾性繊維に、２本の合成繊維の糸をカバーリングしたダブルカバーリングヤーン（ＤＣＹ）であってもよい。なお、ポリウレタン弾性繊維のかわりにポリエーテルエステル弾性繊維を用いてもよい。また、ポリウレタン弾性繊維の糸を合成繊維の糸で被覆することにより、加工粉Ｋによって編み目の破損や損傷が短時間で発生するのを防止することができるようになっている。さらに、伸縮性糸は、靴下編み機であるハイゲージ丸編み機（４インチ：４００針）などにより筒状の編地とされ、この編地により筒状フィルタ２が形成されている。なお、編地は、天笠（無地）編み、針抜き編みなどを単独もしくは組み合わせて編まれている。
【００４９】
前記筒状フィルタ２は、自由状態において円筒状あるいは扁平化されて２つ折り状態とされている。そして、筒状フィルタ２の自由状態における外径（外周）は、フィルタサポート３の内径（内周）より小さく形成されている。また、筒状フィルタ２の自由状態における長さは、フィルタサポート３の長さより若干長く形成されている。なお、筒状フィルタ２の外径としては、フィルタサポート３の内径と等しくても、大きくてもよいが、フィルタサポート３の内側に装着するのが容易であるという意味で、フィルタサポート３の内径より小さく形成するのが好ましい。また、筒状フィルタ２の自由状態における長さとしては、筒状フィルタ２の長さと等しくても、短くてもよいが、フィルタサポート３に対して、筒状フィルタ２の端部を外側あるいは内側に折り返すように取り付けることができる長さとすることが肝要である。
【００５０】
前記フィルタサポート３は、筒状フィルタ２を装着するためのものであり、プラスチックあるいは金属などにより形成されている。このプラスチックとしては、塩化ビニル樹脂（ＰＶＣ）、アクリル樹脂、ポリカーボネート樹脂（ＰＣ）、ＡＢＳ樹脂、ＰＥＴ樹脂、アセタール樹脂（ＰＯＭ）、ポリアミド樹脂（ＰＡ）や、ＦＲＰなどを挙げることができる。また、金属としては、鉄鋼、ステンレス鋼、アルミニウム合金などを挙げることができる。勿論、プラスチックと金属を組み合わせてもよい。
【００５１】
図１および図２に示すように、前記フィルタサポート３は、上取付リング部７、下取付リング部８および上下接続部９を有しており、全体として円筒状に一体形成されている。なお、フィルタサポート３の形状としては、全体として筒状であればよい。例えば、断面が四角形や多角形の角筒状とすることができる。
【００５２】
前記上取付リング部７は、円筒状に形成された上筒状基体１１を有しており、この上筒状基体１１の上端部外周には、上フランジ１２が径方向外側に延出形成されている。すなわち、上取付リング部７の上端部外周には、環状に形成された上フランジ１２が設けられている。また、上取付リング部７の内孔の上部には、上端に向かって徐々に拡径する上方から見て凹状の凹テーパ面１３が形成されている。なお、上筒状基体１１の外周面に、筒状フィルタ２の一端縁部がその弾性により装着される図示しない環状溝を設けることができる。この環状溝を設けることにより、筒状フィルタ２の一端縁部の位置決めと、抜け止めをより確実に行うことができる。この環状溝の形成位置としては、上筒状基体１１の外周面の中央部を挙げることができる。
【００５３】
前記下取付リング部８は、円筒状に形成された下筒状基体１５を有しており、この下筒状基体１５の外周面における長さ方向のほぼ中央部には、下フランジ１６が径方向外側に延出形成されている。すなわち、下筒状基体１５の外周面の長さ方向中央部には、環状に形成された下フランジ１６が設けられている。なお、下筒状基体１５の内外径、下フランジ１６の外径は、上取付リング部７の上筒状基体１１の内外径、上フランジ１２の外径と同一サイズに形成されているが、異なるサイズとしてもよい。また、下筒状基体１５の外周面に、筒状フィルタ２の他端縁部がその弾性により装着される図示しない環状溝を設けることができる。この環状溝を設けることにより、筒状フィルタ２の他端縁部の位置決めと、抜け止めをより確実に行うことができる。この環状溝の形成位置としては、下筒状基体１５の外周面における下フランジ１６の上面と上端との間を挙げることができる。
【００５４】
前記上下接続部９は、上取付リング部７と下取付リング部８とを所定の間隔をおいて接続するためのものである。この上下接続部９は、フィルタサポート３の長さ方向である上下方向に沿って相互に平行に延在する複数本、本実施形態においては４本の縦柱１９（図２に３本のみ図示）により形成されている。これらの縦柱１９は、フィルタサポート３の軸線（中心線）から等距離位置において隣位する２つの縦柱１９の間隔が等しくなるように等角度配置されている。そして、隣位する２本の縦柱１９の相互間は、内外を連通する連通空間とされており、周方向に配列された４つの連通空間により、筒状フィルタ２で濾過した後のクーラントである濾液Ｅ（図１０参照）を通過させる通過開口２０が構成されている。なお、縦柱１９の断面形状としては、扇形、矩形、円形、多角形などの各種の形状を用いることができる。
【００５５】
図１に示すように、前記フィルタサポート３の上取付リング部７には、フィルタサポート３の内部に配置された筒状フィルタ２の一端部である上端部が拡開されて外側に折り返すように取り付けられ、また、下取付リング部８には、フィルタサポート３の内部に配置された筒状フィルタ２の他端部である下端部が拡開されて外側に折り返すように取り付けられており、これらにより、前記フィルタサポート３の内側に筒状フィルタ２が装着されている。
【００５６】
なお、フィルタサポート３としては、上取付リング部７、下取付リング部８および縦柱１９を個別に形成し、接着や溶着などにより接合して一体化する構成としてもよい。この場合、上下接続部９としては、円筒状に形成した基体に通過開口２０を形成するようにしてもよい。この場合、通過開口２０の形状としては、多種多様の形状を単独、もしくは組み合わせて用いることができる。また、フィルタサポート３としては、各種の形状を用いることができ、本実施形態に限定されるものではない。このフィルタサポート３の変形例を図３から図５に示す。
【００５７】
（フィルタサポートの変形例）
図３はフィルタサポートの変形例を示すものである。このフィルタサポート３ａは、長さ方向の両端部を除く部位を径方向外側に膨らませた縦柱１９ａにより、上下接続部９ａのほとんどを径方向外側に膨らませた構成のものである。この場合、上下接続部９ａの最大径を、上取付リング部７および下取付リング部８の最大径より小さくすることが、フィルタサポート３ａとフィルタケース４との間に後述する濾液Ｅが通過する濾液通過空間５０（図１参照）を確実に得ることができるという意味で好ましい。その他の構成については、図２に示すフィルタサポート３と同様とされているので、図中に同一の符号を付しその詳しい説明については省略する。
【００５８】
このような構成からなるフィルタサポート３ａによれば、筒状フィルタ２の内部の容積を増やすことができる。
【００５９】
（フィルタサポートの他の変形例）
図４はフィルタサポートの他の変形例を示すものである。このフィルタサポート３ｂは、縦柱１９に加えて縦柱１９に交差する複数、本例においては３つの環状柱２２を設けることにより上下接続部９ｂを形成し、総計１６個の通過開口２０ｂを上下方向に４つ、周方向に４つの格子状に配列したものである。その他の構成については、図２に示すフィルタサポート３と同様とされているので、図中に同一の符号を付しその詳しい説明については省略する。
【００６０】
このような構成からなるフィルタサポート３ｂによれば、筒状フィルタ２が径方向外側に膨張する度合いを上下方向に延在する縦柱１９および周方向に延在する環状柱２２により規制することができる。
【００６１】
（フィルタサポートのさらに他の変形例）
図５はフィルタサポートのさらに他の変形例を示すものである。このフィルタサポート３ｃは、上下方向に３分割した構成のものである。すなわち、このフィルタサポート３ｃは、上取付リング部７ｃと、下取付リング部８ｃと、上下接続部９ｃとに３分割形成されている。これらの上取付リング部７ｃ、下取付リング部８ｃおよび上下接続部９ｃは、プラスチック、あるいは金属、あるいはプラスチックと金属とを組み合わせて形成することができる。
【００６２】
前記上取付リング部７ｃは、円筒状に形成された上筒状基体１１ｃを有している。また、下取付リング部８ｃは、円筒状に形成された下筒状基体１５ｃを有しており、この下筒状基体１５ｃの外周における下フランジ１６と上端面との間に、径方向外側に向かって突出する複数の係止体としての円柱状に形成された２つの係止ピン２４（一方のみ図示）が下取付リング部８ｃの軸線を中心として点対称に設けられている。これら２つの係止ピン２４の先端を結ぶ仮想外径は、下フランジ１６の外径より小径に形成されている。また、両係止ピン２４のそれぞれは、後述する接続筒２９に設けられた係止溝３０に着脱自在に挿入可能とされている。なお、係止ピン２４の数を３つ以上としてもよい。このように係止ピン２４の数を３つ以上とする場合には、下取付リング部８ｃの軸線から等距離位置において隣位する２つの係止ピン２４の中心間距離が等しくなるように等角度配置することが好ましい。また、係止ピン２４としては、円筒状のものであってもよい。さらにまた、係止体としては、係止ピン２４に限定されるものではなく、平板状の係止片であってもよい。またさらに、上取付リング部７ｃにおける上筒状基体１１ｃの外径と、下取付リング部８ｃにおける下筒状基体１５ｃの外径とは等しくされている。
【００６３】
前記上下接続部９ｃは、図５の上下方向に示す長さ方向に間隔をおいて配置された複数の環体２６と、これらの環体２６を接続するための長さ方向に沿って配置された複数の連結棒２７とにより円筒状のバスケット様に形成された接続胴部２８と、この接続胴部２８の下端部内面に接着あるいは溶着などにより固着された円筒状の接続筒２９とを有している。そして、接続胴部２８には、前述した各フィルタサポート３、３ａ、３ｂより多くの通過開口２０ｃが格子状に配置されている。
【００６４】
前記接続筒２９には、下取付リング部８ｃに配設された２つの係止ピン２４のそれぞれが挿入可能な２つの係止溝３０が形成されている。これら２つの係止溝３０は、接続筒２９の軸線を中心として点対称に設けられている。また、２つの係止溝３０のそれぞれは、接続筒２９の下端面から上方に向かって形成され係止ピン２４が挿入可能な内外を径方向に貫通する第１挿入溝３１と、この第１挿入溝３１の天部から接続筒２９の周方向に沿って形成され係止ピン２４が挿入可能な内外を径方向に貫通する第２挿入溝３２とを有している。この第２挿入溝３２の下面は、第１挿入溝３１から離間した先端に向かって下方に傾斜するように形成されている。また、係止ピン２４は、係止溝３０の幅寸法より若干小さく形成されている。この係止ピン２４は、フィルタケース４からフィルタサポート３ｃを抜くときには、係止ピン２４の外周面と第２挿入溝３２の上面とが当接して上下接続部９ｃから下取付リング部８ｃが外れないように形成されている。なお、係止溝３０の数としては、係止ピン２４の数と同様に３つ以上としてもよい。このように係止溝３０の数を３つ以上とする場合には、接続筒２９の軸線から等距離位置において隣位する２つの係止溝３０の中心間距離が等しくなるように等角度配置することが好ましい。また、接続胴部２８としては、金属製あるいはプラスチック製の網を用いてもよい。そして、２つの係止ピン２４および２つの係止溝３０により、下取付リング部８ｃと上下接続部９ｃとを着脱自在に接続する接続手段３３が構成されている。その他の構成については、図２に示すフィルタサポート３と同様とされているので、図中に同一の符号を付しその詳しい説明については省略する。
【００６５】
このような構成からなるフィルタサポート３ｃによれば、上取付リング部７ｃ、下取付リング部８ｃ、および上下接続部９ｃを個別に形成することができるので、長尺のものを容易に形成することができる。また、接続手段３３は、フィルタケース４からフィルタサポート３ｃを脱着する際に、下取付リング部８ｃと上下接続部９ｃとを接続状態に保持することができる。さらに、多くの通過開口２０ｃが格子状に配置されている接続胴部２８は、前述した各フィルタサポート３、３ａ、３ｂより、筒状フィルタ２が径方向外側に膨張する度合いをより規制することができる。
【００６６】
（濾過装置の続き）
図１に示すように、前記フィルタケース４は、筒状フィルタ２が装着された状態のフィルタサポート３をその長さ方向を上下方向に向けて、すなわち、上取付リング部７を上、下取付リング部８を下にして収納するためのものであり、フィルタサポート３と同様に、プラスチックあるいは金属などにより形成されている。勿論、プラスチックと金属を組み合わせてもよい。
【００６７】
前記フィルタケース４は、ケース本体４１と、ケース底部４２と、上蓋４３と、サポート支持部４４と、流入口４５と、流出口４６と、排出口４７とを有している。そして、排出口４７にはバルブ４８が接続されている。
【００６８】
前記ケース本体４１は、フィルタサポート３が上部開口を介して挿脱されるものであり、濾液Ｅの流路を形成するために、少なくともフィルタサポート３の外周を囲繞するように、フィルタサポート３の外径より大径の円筒状に形成されている。そして、ケース本体４１の内周面とフィルタサポート３の外周面との間は、濾液Ｅを容易に流下させるための濾液通過空間５０とされている。さらに、ケース本体４１の長さは、フィルタサポート３の長さより長く形成されている。なお、ケース本体４１の形状としては、筒状であればよく、断面が四角形や多角形角筒状とすることができる。
【００６９】
前記ケース本体４１の外周面の上端部側には、蓋支持パイプ５１が設けられている。この蓋支持パイプ５１は、その長さ方向をケース本体４１の長さ方向に沿って配置されている。また、蓋支持パイプ５１は、溶着あるいは接着などによりケース本体４１の外周面に固着されている。
【００７０】
前記ケース底部４２は、ケース本体４１の下部開口を閉塞するためのものであり、ケース本体４１の外径より大径の円環板状に形成されている。そして、ケース底部４２のケース本体４１より外側の周縁部の所定位置には、図６に示すように、濾過装置１を図示しない取付板や取付架台などの取付対象物に取り付けるための複数、本実施形態においては４つの取付孔５２が形成されている。これらの取付孔５２は、ケース底部４２、ひいてはケース本体４１の軸線から等距離位置において隣位する２つの取付孔５２の中心間距離が等しくなるように等角度配置されている。なお、取付孔５２の代わりに、取付ブラケットを設けてもよい。また、ケース底部４２の下面におけるケース本体４１より外側の外周近傍に、濾過装置１を自立させるための図示しない複数の脚部を設けてもよい。
【００７１】
前記上蓋４３は、ケース本体４１の上部開口を覆うためのものであり、図１に示すように、円筒状に形成された蓋胴部５３と、この蓋胴部５３の上部開口を閉塞するようにほぼ円盤状に形成された蓋天板５４とにより、全体として下部が開口の有底筒状に形成されている。そして、蓋胴部５３の内径は、ケース本体４１の上端部の外周面を取り囲むことができるように、ケース本体４１の外径より大径に形成されている。
【００７２】
前記蓋天板５４の中心部には、蓋天板５４の厚さ方向である上下方向に沿って管継手の一種であるソケットなどからなる流入管５５が配設されている。この流入管５５は、上蓋４３の図１の上下方向に示す長さより長く形成されており、上端が蓋天板５４の上面より上方に突出し、下端が蓋胴部５３の下端より下方に突出するように配置されている。また、流入管５５は、その外周面における長さ方向の中央部より少し上方部分が蓋天板５４の中心部に設けられた内孔であるパイプ用貫通孔５６に挿通された状態で溶着あるいは接着などにより隙間なく固着されている。そして、流入管５５の上端部の開口は、フィルタケース４の内部に原液Ｇを導く流入口４５とされている。また、流入管５５の下部開口端は、フィルタサポート３の上取付リング部７の内側に配置されている。すなわち、本実施形態においては、筒状フィルタ２の内側に原液Ｇを導く流入口４５が、上蓋４３の中心部である中央部の上部に形成されている。また、流入管５５の内孔の少なくとも上端部には、後述する原液Ｇの供給配管１０４（図１０参照）との接続に用いるための雌ねじ５５ａが形成されている。
【００７３】
前記蓋天板５４の下面の外周部分には、ケース本体４１の上部開口端と上蓋４３との間をシールするための固定用シールとしての円環状のゴム板などからなるガスケット５７が配設されている。なお、ガスケット５７としては、Ｏリングなどを用いてもよい。また、ガスケット５７を配置せずに、ケース本体４１に上蓋４３を取り付けた状態で、蓋天板５４がケース本体４１の上部開口端面とわずかな隙間をもって対向するように形成したり、ケース本体４１の上部開口端面と当接するように形成してもよい。さらに、蓋胴部５３の形状としては、筒状であればよい。例えば、断面が四角形や多角形の角筒状とすることができる。
【００７４】
前記蓋天板５４の下面には、ケース本体４１の上部開口端と上蓋４３との間、すなわちガスケット５７の配設位置に向かって濾液Ｅが流動するのを防止するための円筒状に形成された内壁５８が設けられている。この内壁５８の図１の上下方向に示す長さは、蓋胴部５３の長さより長く形成されており、内壁５８の下端面は、蓋胴部５３の下端面より下方に突出されている。また、内壁５８の内孔は、上取付リング部７の外径より大径に形成されており、内壁５８の外径は、ケース本体４１の内径より小径に形成されている。
【００７５】
図１および図６に示すように、蓋胴部５３の外周面には、ケース本体４１の外周面に設けられた蓋支持パイプ５１に着脱自在に挿入される蓋支持棒５９の上部が溶着あるいは接着によって固着されている。そして、蓋支持パイプ５１に蓋支持棒５９を挿入することにより、ケース本体４１に対する上蓋４３の周方向における回転止めと、ケース本体４１に対する上蓋４３の周方向における回転方向の位置決めとがなされている。また、上蓋４３をケース本体４１から外すときに、上蓋４３を上方に引き上げてから蓋支持パイプ５１に蓋支持棒５９の先端を挿入した状態で、上蓋４３を蓋支持パイプ５１を中心として回転させることにより、ケース本体４１の上部開口を外部に露出させた状態で、上蓋４３を蓋支持パイプ５１の上端面、ひいてはケース本体４１によって保持することができるようになっている。これにより、フィルタケース４に対する筒状フィルタ２を装着した状態のフィルタサポート３の着脱時に、ケース本体４１から外した上蓋４３を作業者が容易に視認することができるし、上蓋４３がケース本体４１から離れて探すのに時間を要することがないので、作業性を向上、すなわち、作業者による使い勝手の向上を図ることができる。
【００７６】
図１に示すように、上蓋４３の蓋天板５４の下面には、熱可塑性エラストマやゴムなどのゴム弾性を呈するゴム様弾性体により、全体として環状に形成された押圧リング６０が配設されている。この押圧リング６０の内孔は、円筒状に形成されているとともに、流入管５５の外径より若干小さく形成されており、流入管５５を抱き締めするように形成されている。すなわち、押圧リング６０は、流入管５５の上蓋４３の下方に配置された部分に挿脱自在とされており、これにより上蓋４３に着脱自在に取り付けられている。また、押圧リング６０は、図１の上下方向に示すその長さが蓋胴部５３の長さより長く形成されており、その下端面は、流入管５５の下端面と面一に配置されている。さらに、押圧リング６０の外周面は、その下端から上方に向かって徐々に拡径する下方に凸の凸テーパ面６１とされている。なお、押圧リング６０の上面を蓋天板５４の下面に接着によって接合することにより固着する構成としてもよい。また、押圧リング６０は、上取付リング部７と対向配置されており、上蓋４３をケース本体４１に取り付けた状態では、押圧リング６０の凸テーパ面６１が上取付リング部７の内面の凹テーパ面１３を押圧するようになっている。すなわち、凹テーパ面１３および凸テーパ面６１のそれぞれのテーパ角は等しくされている。
【００７７】
したがって、上蓋４３をケース本体４１に取り付けた状態で、フィルタサポート３の上取付リング部７に取り付けられた筒状フィルタ２の上端部を凸テーパ面６１と凹テーパ面１３との間で挟持できるようになっている。つまり、上蓋４３をケース本体４１に取り付けたときに、上取付リング部７と押圧リング６０との間で筒状フィルタ２を挟持するように形成されている。また、流入管５５の下部開口端は、フィルタサポート３の上取付リング部７の内側に配置されている。
【００７８】
図１および図６に示すように、上蓋４３とケース本体４１とは、周知のスナップ錠としてのスナップキャッチ（キャッチクリップ）６５によりワンタッチで着脱自在に取り付けられている。すなわち、ケース本体４１の外周面には、周知の如く、２つで１組とされたスナップキャッチ６５の一方、例えば掛合部、ばねおよび操作レバーを備えた操作側部材６５ａが取り付けられており、蓋胴部５３の外周面には、スナップキャッチ６５の他方、例えば、掛合部に掛けられる掛合片を備えた受け側部材６５ｂが取り付けられている。
【００７９】
本実施形態において、スナップキャッチ６５の操作側部材６５ａと蓋支持パイプ５１とは、ケース本体４１の軸線を中心として対向するようにケース本体４１の外周面に配置されている。また、スナップキャッチ６５の受け側部材６５ｂと蓋支持棒５９とは上蓋４３の中心線を中心として対向するように蓋胴部５３の外周面に配置されている。なお、スナップキャッチ６５の組数を２組以上の複数とする構成としてもよい。このような複数組のスナップキャッチ６５を設ける場合には、ケース本体４１の中心線から等距離位置において隣位する２つのスナップキャッチ６５の中心間距離が等しくなるように等角度配置する構成が好ましい。勿論、スナップキャッチ６５の組数が多くなるほど操作に要する労力および時間が増加することになる。
【００８０】
したがって、上蓋４３とケース本体４１とは、少なくとも１つのスナップキャッチ６５によりワンタッチで着脱自在に形成されている。なお、上蓋４３は、ケース本体４１の上部開口を覆うために、ケース本体４１に着脱自在に取り付けられていればよい。また、上蓋４３とケース本体４１とは、スナップキャッチ６５の代わりに、ワンタッチジョイントなどの他の構成によりワンタッチで着脱自在に取り付けられていてもよい。なお、ワンタッチジョイントとしては、バイヨネット式、クランプ式、スライド式などの各種の構成のものから設計コンセプトなどの必要に応じて選択することができる。このケース本体４１に上蓋４３を着脱自在に取り付けるための上蓋取付構造の変形例を図７に示す。
【００８１】
（上蓋取付構造の変形例）
図７は上蓋取付構造の変形例を示すものである。この上蓋取付構造７０は、図５に示すフィルタサポート３ｃにおける下取付リング部８ｃと上下接続部９ｃの接続筒２９との取り付け構造と同様に形成されている。すなわち、図７に示すように、ケース本体４１の外周面の上部には、径方向外側に向かって突出する複数の係止体としての円柱状に形成された２つの係止ピン７１（一方のみ図示）がケース本体４１の軸線を中心として点対称に設けられている。また、上蓋４３の蓋胴部５３には、２つの係止ピン７１のそれぞれが挿入可能な２つの係止溝７２（一方のみ符号を付してある）が形成されている。これら２つの係止溝７２は、蓋胴部５３の軸線を中心として点対称に設けられている。
【００８２】
前記２つの係止溝７２のそれぞれは、蓋胴部５３の下端面から上方に向かって形成され係止ピン７１が挿入可能な内外を径方向に貫通する第１挿入溝７２ａと、この第１挿入溝７２ａの天部から蓋胴部５３の周方向に沿って形成され係止ピン７１が挿入可能な内外を径方向に貫通する第２挿入溝７２ｂとを有している。この第２挿入溝７２ｂの下面は、第１挿入溝７２ａから離間した先端に向かって下方に傾斜するように形成されている。
【００８３】
前記係止ピン７１は、係止溝７２の幅寸法より小さく形成されているとともに、上蓋４３の下面がガスケット５７を介してケース本体４１の上端面に当接するように形成されている。さらに、流入管５５の蓋天板５４の上方に突出した上部には回転自在な回転リング７３が取り付けられており、この回転リング７３の外周面には、蓋支持棒５９ａの基端部が固着されている。この蓋支持棒５９ａは、回転リング７３の外周面から径方向外側に向かって延出され水平部５９ａａと、この水平部５９ａａの先端から蓋胴部５３の外周に沿って下方に延出された垂直部５９ａｂとにより、全体として倒立Ｌ字状の棒状に形成されている。そして、垂直部５９ａｂの図９の下方に示す先端部が蓋支持パイプ５１に挿入されるようになっている。その他の構成については、前述したスナップキャッチ６５を用いた構成と同様とされているので、図中に同一の符号を付しその詳しい説明については省略する。
【００８４】
このような構成からなる上蓋取付構造７０によれば、図１に示すスナップキャッチ６５を用いた場合と同様に、ケース本体４１に対して上蓋４３をワンタッチで着脱することができる。
【００８５】
（濾過装置の続き）
図１に示すように、ケース本体４１の外周面の下部には、ケース本体４１の内外を連通する流出管８１がその先端部を径方向外側に向けて設けられている。この流出管８１は、管継手の一種であるソケットなどから形成されており、ケース本体４１の外周面の下部に設けられた流出用貫通孔８２に基端部が挿通された状態で溶着あるいは接着などにより隙間なく固着されている。そして、流出管８１の図１の右方に示す先端部の開口は、濾液Ｅを外部に流出させるための流出口４６とされている。すなわち、本実施形態においては、流入口４５より下方に流出口４６が設けられている。また、流出管８１の内孔の少なくとも先端部には、後述する濾液Ｅの流出配管１０５（図１０参照）との接続に用いるための雌ねじ８１ａが形成されている。
【００８６】
前記サポート支持部４４は、フィルタサポート３を下方から支持するためのものであり、図１に示すように、図１上方に示す円筒状に形成された大径筒部８５と、図１下方に示す円筒状の小径筒部８６とが、上部が大径で下部が小径とされた接続筒部８７により同軸状に接続された段付き筒状に形成されている。そして、サポート支持部４４は、大径筒部８５を上方にしてその長さ方向を上下方向に向けて配置されている。
【００８７】
前記大径筒部８５の外径は、ケース本体４１の内径より小さく形成されている。また、大径筒部８５の内径は、下取付リング部８の下筒状基体１５の外径より大きく形成されており、大径筒部８５の開口部には、筒状フィルタ２を装着したフィルタサポート３の下取付リング部８の下部が挿入されているとともに、大径筒部８５の上端面に、下フランジ１６の下面が筒状フィルタ２を介して当接されている。さらに、大径筒部８５は、ケース本体４１の内部に配置されており、大径筒部８５の下端部は、ケース底部４２の中心部に設けられたサポート支持用貫通孔８９に挿入された状態で溶着あるいは接着などにより隙間なく固着されている。すなわち、サポート支持部４４は、その下部である接続筒部８７および小径筒部８６がケース底部４２を貫通してケース本体４１の下方に突出されており、その下端部である小径筒部８６の下端部の開口は、筒状フィルタ２で分離されてサポート支持部４４の内部および筒状フィルタ２の内部に堆積した加工粉Ｋである濾塊Ｒ（図１０参照）を排出するための排出口４７とされている。したがって、排出口４７は、流出口４６よりも下方に配置されている。つまり、フィルタケース４の最も上部に流入口４５が形成され、フィルタケース４の外周面下部に流出口４６が形成され、フィルタケース４の最も下部に排出口４７が形成されている。
【００８８】
なお、サポート支持部４４とケース底部４２との接続位置は、大径筒部８５に限らず、接続筒部８７であってもよいし、小径筒部８６であってもよい。また、サポート支持部４４としては、全体を一様な円筒状に形成してもよい。さらに、サポート支持部４４としては、大径筒部８５の上端部に図示しない筒状小径部を段部によって接続し、この筒状小径部を下取付リング部８の内面に挿入するとともに、段部に下取付リング部８の下端面を当接するようにして、フィルタサポート３を下方から支持するように形成してもよい。
【００８９】
前記排出口４７には、常時は閉状態とされたバルブ４８の入口が接続されている。この排出口４７とバルブ４８との接続は、螺着などによって直接接続する構成であってもよいし、ニップルやソケットなどの管継手を介して接続する構成であってもよい。
【００９０】
前記バルブ４８としては、ゲートバルブ（仕切弁）やグローブバルブ（玉形弁）、バタフライバルブ（蝶形弁）、ボールバルブ、ピンチバルブなどのストップバルブ（止め弁）を用いることができるが、流路径が大きく濾塊Ｒとしての加工粉Ｋの流動を円滑に行うことができるという意味でボールバルブあるいはピンチバルブを用いることが好ましい。本実施形態においては、手動式のボールバルブが用いられている。勿論、電気信号により開閉操作可能な自動操作形であってもよい。なお、バルブ４８のかわりにシャッタを用いてもよい。但し、シャッタの閉状態において外部への漏洩防止を確実に行うことが肝要である。
【００９１】
前記大径筒部８５の外周面とケース本体４１の内面との間には、ケース本体４１の中心に対する大径筒部８５の中心の位置決めを行うためのサポート位置決め部材９１が配設されている。このサポート位置決め部材９１は、大径筒部８５の外周面および／またはケース本体４１の内面に溶着あるいは接着などにより固着されている。また、サポート位置決め部材９１は、図８に示すように、円環状に形成されたリング本体９１ａを有しており、このリング本体９１ａには、濾液通過空間５０を流下した濾液Ｅを下方に通過させるための厚さ方向に貫通する複数の透孔からなる下部通過口９１ｂが設けられている。なお、サポート位置決め部材９１は、必ず設ける必要はない。また、サポート位置決め部材９１としては、ケース本体４１の内部にサポート支持部４４を固定できるものであればよい。このサポート位置決め部材９１の変形例を図９に示す。
【００９２】
（サポート位置決め部材の変形例）
図９はサポート位置決め部材の変形例を示すものである。このサポート位置決め部材９２は、複数、本例においては４つの連結棒９２ａを有している。これら４つの連結棒９２ａは、その長さ方向をケース本体４１の図１の上下方向に示す長さ方向に対して直交する左右方向（水平方向）とするとともに、大径筒部８５の軸線、ひいてはケース本体４１の軸線から等距離位置において隣位する２つの連結棒９２ａの距離が等しくなるように９０度で等角度配置されている。そして、隣位する連結棒９２ａの相互間の平面扇形をなす隙間が、下部通過口９２ｂとされている。このような構成からなるサポート位置決め部材９２によれば、下部通過口９２ｂの平面面積、すなわち、濾液Ｅが通過する流路面積を大きくすることができるので、濾液Ｅの流動をより円滑にできる。
【００９３】
（濾過システム）
ここで、本実施形態の濾過装置を用いた濾過システムの一例について図１０により説明する。
【００９４】
図１０に示すように、本実施形態の濾過システム１００は、前述した本実施形態の濾過装置１と、クーラントタンク１０１と、回収コンテナ１０２と、ポンプ１０３とを有している。また、クーラントタンク１０１は、工作機械に供給するクーラントとしての濾過した後のクーラントである濾液Ｅ（未使用のクーラントを含む）を貯留する供給液貯留部１０１ａと、濾過対象液としての工作機械から回収した使用後のクーラントである原液Ｇを貯留する原液貯留部１０１ｂとを有している。そして、原液貯留部１０１ｂには、供給配管１０４の一部を構成する吸込配管１０４ａの一端が液面下に配置されており、吸込配管１０４ａの他端は、ポンプ１０３の図示しない吸込口に接続されている。また、ポンプ１０３の図示しない吐出口には、供給配管１０４の他部を構成する送出配管１０４ｂの一端が接続されており、送出配管１０４ｂの他端は、濾過装置１の流入口４５に接続されており、原液貯留部１０１ｂに貯留されている原液Ｇを濾過装置１に圧送することができるようになっている。また、濾過装置１の流出口４６には、濾液Ｅを供給液貯留部１０１ａに導くための流出配管１０５の一端が接続されている。なお、供給配管１０４および流出配管１０５としては、ホースなどの可撓性を有する配管部材を用いることができる。特に、送出配管１０４ｂを可撓性を有する配管とすることにより、上蓋４３から送出配管１０４ｂ、ひいては供給配管１０４を外すことなく、上蓋４３をケース本体４１から容易に着脱することができる。
【００９５】
前記回収コンテナ１０２は、濾過装置１の筒状フィルタ２により分離されて堆積した加工粉Ｋである濾塊Ｒを回収するためのものであり、濾過装置１の排出口４７（図１参照）に接続されたバルブ４８の出口の下方に配置されている。なお、バルブ４８の出口には、濾塊Ｒを回収コンテナ１０２に導くための図示しない排出配管の一端を接続する構成としてもよい。さらに、バルブ４８の下方に、濾塊Ｒをクーラントタンク１０１から離れた位置に配置された回収コンテナ１０２に運搬するためのベルトコンベアを配置する構成としてもよい。なお、バルブ４８を自動操作弁とすることにより、予め設定された使用時間毎に濾塊Ｒの排出を自動的に行うことができる。
【００９６】
つぎに、前述した構成からなる本実施形態の作用について説明する。
【００９７】
まず、本実施形態の濾過装置１を用いた濾過システム１００による濾過動作について説明する。
【００９８】
本実施形態の濾過装置１を用いた濾過システム１００において、クーラントタンク１０１の原液貯留部１０１ｂに貯留された原液Ｇは、ポンプ１０３の駆動により吸込配管１０４ａから吸い込まれ、送出配管１０４ｂの内部を圧送されて濾過装置１の流入口４５に供給される。そして、濾過装置１の流入口４５に供給された原液Ｇは、流入管５５の内部を上方から下方に通過して筒状フィルタ２の内部に流入する。すなわち、本実施形態の濾過装置１には、原液Ｇを流入口４５から筒状フィルタ２の内側に導くように流入経路が設けられている。
【００９９】
ついで、筒状フィルタ２の内部に流入した原液Ｇは、筒状フィルタ２を内側から外側に向かって通過する。この原液Ｇが筒状フィルタ２を通過する際に、原液Ｇに含まれる所定の大きさ以上の加工粉Ｋが濾過作用によって分離される。すなわち、原液Ｇが筒状フィルタ２を径方向に沿って内側から外側に通過する際に、原液Ｇに含まれる所定の大きさ、例えば２０μｍ以上の加工粉Ｋが筒状フィルタ２の編み目によって捕捉され分離されることになる。そして、筒状フィルタ２を通過した濾液Ｅは、通過開口２０、濾液通過空間５０、下部通過口９１ｂをこの順に通過して流出口４６から流出する。すなわち、本実施形態の濾過装置１には、筒状フィルタ２で濾過した後の濾液Ｅを筒状フィルタ２の外側を介して流出口４６に導くように流出経路が設けられている。そして、流出口４６から流出する濾液Ｅは、流出配管１０５を通過してクーラントタンク１０１の供給液貯留部１０１ａに送られる。
【０１００】
一方、筒状フィルタ２により分離された加工粉Ｋは、サポート支持部４４の排出口４７が設けられた下端部、詳しくはバルブ４８の図示しない流路遮断位置を先頭にして順次堆積して濾塊Ｒとなり、筒状フィルタ２の内部に至ることになる。すなわち、本実施形態の濾過装置１には、筒状フィルタ２で分離した加工粉Ｋを筒状フィルタ２の内側を介して排出口４７に導くように排出径路が設けられている。そして、排出口４７の上方、ひいては筒状フィルタ２の内部に堆積した濾塊Ｒは、排出口４７に接続されたバルブ４８を開状態とすることで、回収コンテナ１０２に回収される。勿論、バルブ４８の操作は、ポンプ１０３による流入口４５への原液Ｇの供給を停止した状態で行う。また、濾塊Ｒを排出する際には、サポート支持部４４に濾塊Ｒとともに原液Ｇが存在するので、濾塊Ｒの排出を円滑に行うことができる。
【０１０１】
ここで、本実施形態の濾過装置１における筒状フィルタ２の交換方法について説明する。
【０１０２】
本実施形態の濾過装置１における筒状フィルタ２を交換する際には、スナップキャッチ６５の操作レバーを操作して操作側部材６５ａを受け側部材６５ｂから取り外してケース本体４１への上蓋４３の締結状態を解除した後、上蓋４３を上方に移動する。そして、上蓋４３の上方への移動の途中、すなわち、流入管５５の下端がケース本体４１の上方に露出したら、上蓋４３を１８０度程度回転させてから下方に移動する。すると、ケース本体４１の上部開口が外部に露出した状態で上蓋４３が蓋支持パイプ５１の上端部によって下方から支持される。これにより、上蓋４３がケース本体４１に支持された状態が保持され、作業者の両手が自由になる。
【０１０３】
ついで、筒状フィルタ２が装着された状態のフィルタサポート３を上方に向かって移動させることにより、ケース本体４１、ひいてはフィルタケース４からフィルタサポート３を引き抜くように取り外す。
【０１０４】
ついで、フィルタサポート３から使用した筒状フィルタ２を取り外し、その後、新たな筒状フィルタ２をフィルタサポート３に取り付けるか、あるいは、新たな筒状フィルタ２を取り付けた状態の新たなフィルタサポート３を、フィルタサポート３を引き抜く操作と逆の操作を行うことにより筒状フィルタ２の交換が終了する。この時、上蓋４３がケース本体４１に支持されているので、上蓋４３の取り付けを容易に行うことができる。なお、濾塊Ｒの排出時期は、予め設定された使用時間に到達したか否かにより判定することができる。
【０１０５】
このように、本実施形態の濾過装置１によれば、筒状フィルタ２は、その編み目によって原液Ｇに含まれる所定の大きさ以上の固体である加工粉Ｋを分離することができる。
【０１０６】
また、本実施形態の濾過装置１によれば、筒状フィルタ２の分離された加工粉Ｋの堆積による目詰まりの進行にともなって筒状フィルタ２が径方向外側に膨張するので、筒状フィルタ２の編み目が拡大して、濾過機能の低下や流量の低下を軽減することができる。なお、筒状フィルタ２の最大伸張は、筒状フィルタ２の最大伸びおよびフィルタサポート３の上下接続部９により規制される。
【０１０７】
さらに、本実施形態の濾過装置１によれば、筒状フィルタ２の編み目が拡大した場合であっても、筒状フィルタ２の内部に堆積した濾塊Ｒがフィルタとして機能するので、全体として初期の濾過機能を長期間に亘って保持することができる。
【０１０８】
さらにまた、本実施形態の濾過装置１によれば、原液Ｇに含まれる加工粉Ｋは、サポート支持部４４の排出口４７が設けられた下端部、詳しくはバルブ４８の図示しない流路遮断位置を先頭にして順次堆積して濾塊Ｒとなり、筒状フィルタ２の内部に至るから、筒状フィルタ２の内部において下端側から順に堆積するので、加工粉Ｋの堆積にしたがって筒状フィルタ２が下部側から径方向に広がって編み目が拡大するので、濾過機能の低下や流量の低下を軽減することができるし、筒状フィルタ２の下部に目詰まりが生じても、筒状フィルタ２の目詰まりしていない上部側により濾過機能が保持されるので、全体として初期の濾過機能を長期間に亘って保持することができる。
【０１０９】
したがって、本実施形態の濾過装置１によれば、安定した濾過機能を長期間に亘って発揮することができる。
【０１１０】
さらに、本実施形態の濾過装置１によれば、排出口４７に常時閉状態とされたバルブ４８が接続されているから、バルブ４８を開操作するという簡便な方法で、筒状フィルタ２を取り外すことなく、サポート支持部４４および筒状フィルタ２のそれぞれの内部に堆積した濾塊Ｒを容易かつ確実に外部に排出することができる。その結果、筒状フィルタ２を取り外すことなく濾塊Ｒを外部に排出することができるので、筒状フィルタ２の交換頻度を確実に少なくすることができる。なお、バルブ４８を開いて濾塊Ｒを排出する場合、濾塊Ｒの排出初期には、濾塊Ｒとともにサポート支持部４４の内部に存在する原液Ｇもともに排出されるので、円滑な流動性を確保することができる。
【０１１１】
よって、本実施形態の濾過装置１によれば、筒状フィルタ２の寿命を袋状フィルタを用いる従来に比べてより長くすることができる。すなわち、本実施形態の濾過装置１によれば、従来のものよりフィルタの交換頻度をさらに少なくすることができる。
【０１１２】
また、本実施形態の濾過装置１によれば、流入口４５が上蓋４３に形成されているので、筒状フィルタ２の内部に原液Ｇを円滑かつ確実に流入させることができる。
【０１１３】
またさらに、本実施形態の濾過装置１によれば、流出口４６がケース本体４１の下端部とサポート位置決め部材９１の配設位置との間に形成されているので、筒状フィルタ２を通過した濾液Ｅを外部に円滑かつ確実に流出させることができる。
【０１１４】
さらに、本実施形態の濾過装置１によれば、上蓋４３の下面に、上取付リング部７の内面との間で筒状フィルタ２を挟持するゴム様弾性体により形成された押圧リング６０が設けられているから、筒状フィルタ２を確実に固定することができる。
【０１１５】
さらにまた、本実施形態の濾過装置１によれば、排出口４７が流出口４６より下方に設けられているから、濾塊Ｒを円滑かつ確実に排出させることができる。
【０１１６】
したがって、本実施形態の濾過装置１によれば、作業者による使い勝手の向上を容易に図ることができる。
【０１１７】
また、本実施形態の濾過装置１によれば、流入口４５が上蓋４３に設けられた流入管５５の上端に設けられ、流出口４６がケース本体４１の下端部とサポート位置決め部材９１の配設位置との間に配置されており、排出口４７がサポート支持部４４の下端部に設けられているから、原液Ｇを筒状フィルタ２の内部に導く流入経路と、筒状フィルタ２で濾過した後の濾液Ｅを外部に流出させる流出経路と、筒状フィルタ２の内部に堆積した濾塊Ｒを外部に排出する排出径路とを確実に区分することができる。
【０１１８】
また、本実施形態の濾過装置１によれば、上蓋４３とケース本体４１とが、スナップキャッチ６５によりワンタッチで着脱自在に形成されているから、上蓋４３とケース本体４１との着脱を容易かつ確実に行うことができる。
【０１１９】
さらにまた、本実施形態の濾過装置１によれば、蓋支持パイプ５１および蓋支持棒５９が設けられているので、上蓋４３をケース本体４１に取り付ける際に、蓋支持パイプ５１に蓋支持棒５９を挿入することにより、ケース本体４１に対する上蓋４３の周方向に沿った回転を阻止することができる。その結果、スナップキャッチ６５の操作側部材６５ａと受け側部材６５ｂとの相互間の周方向における位置合わせを容易かつ確実に適正にすることができる。これにより、スナップキャッチ６５の操作性が向上する。
【０１２０】
またさらに、本実施形態の濾過装置１によれば、筒状フィルタ２を構成する伸縮性糸が弾性ソックスや弾性ストッキングなどに使用されるものであるから、既存の糸を使用することができるので、筒状フィルタ２の低コスト化を容易に図ることができる。
【０１２１】
また、本実施形態の濾過装置１によれば、フィルタサポート３の上取付リング部７の上端部外周には、環状に形成された上フランジ１２が設けられ、下取付リング部８の外周の長さ方向中央部には、環状に形成された下フランジ１６が設けられ、下フランジ１６の下面がサポート支持部４４の大径筒部８５の上端部により下方から支持されているから、筒状フィルタ２が装着された状態のフィルタサポート３を、その長さ方向を上下方向に向けてフィルタケース４の内部に確実に支持収容することができる。
【０１２２】
さらにまた、本実施形態の濾過装置１によれば、筒状フィルタ２の上部がフィルタサポート３の凹テーパ面１３と押圧リング６０の凸テーパ面６１との間に挟持され、筒状フィルタ２の下部がフィルタサポート３の下フランジ１６の下面とサポート支持部４４の上端部との間で挟持されているので、筒状フィルタ２がフィルタサポート３から脱落するのを防止できる。
【０１２３】
（第２実施形態）
図１１および図１２は、本発明に係る濾過装置の第２実施形態を示すものである。本実施形態の濾過装置１２０は、筒状フィルタ２を外部から視認できるようにしたものである。
【０１２４】
すなわち、本実施形態の濾過装置１２０のフィルタケース１２１は、のぞき窓１２２を具備するケース本体１２３と、このケース本体１２３の内側に装着される内ケース１２４とを有している。
【０１２５】
前記ケース本体１２３は、金属により円筒状に形成された下筒部１２５と、金属により円筒状に形成された上筒部１２６と、下筒部１２５と上筒部１２６とを予め設定された間隔をもって接続するための金属により断面矩形状の角棒状に形成された複数の接続部材１２７とを有している。そして、各接続部材１２７は、下端部が下筒部１２５の外周面の上部側に接着あるいは溶着などにより固着されており、上端部が上筒部１２６の外周面の下端部側に接着あるいは溶着などにより固着されている。すなわち、接続部材１２７は、図１１および図１２の上下方向に示すその長さ方向がケース本体１２３の軸線に沿って平行に配置されている。本実施形態においては、６本の接続部材１２７が相互に平行に延在するように用いられている。これら６本の接続部材１２７は、ケース本体１２３の軸線から等距離位置において隣位する２本の接続部材１２７の距離が等しくなるように間隔をおいて等角度配置されている。
【０１２６】
そして、下筒部１２５と上筒部１２６との相互間で、接続部材１２７が配置されていない箇所は、内外を連通する連通空間とされており、この連通空間により、本実施形態における内ケース１２４を通して筒状フィルタ２を外部から視認できるのぞき窓１２２が構成されている。すなわち、透明な内ケース１２４を通して筒状フィルタ２を外部から視認できるのぞき窓１２２がケース本体１２３の胴部に設けられている。勿論、外部とは濾過装置１２０の外側である。したがって、のぞき窓１２２は、筒状フィルタ２を容易に可視化することができるものである。なお、接続部材１２７としては、丸棒状のものであってもよい。また、接続部材１２７としては、内外を径方向（厚さ方向）に連通する複数の孔を備えた筒であってもよい。この場合、孔のサイズを、内部を容易に視認することのできるサイズとすることが肝要である。さらに、ケース本体１２３をプラスチックにより形成してもよい。
【０１２７】
前記フィルタケース１２１は、上蓋４３とケース本体１２３とが２組のスナップキャッチ６５（図１２に１つのみ図示）によりワンタッチで着脱自在に取り付けられている。これら２組のスナップキャッチ６５は、ケース本体１２３の軸線を中心として点対称に設けられている。また、蓋支持パイプ５１および蓋支持棒５９は、上方から見て２つのスナップキャッチ６５の配列方向に対して直交する方向に配置されている。
【０１２８】
前記内ケース１２４は、アクリル樹脂（アクリル酸エステル樹脂、メタクリル酸エステル樹脂）、ポリカーボネート樹脂、ＡＢＳ樹脂などの透明なプラスチックにより、フィルタサポート３の外径より大径の円筒状に形成されている。そして、内ケース１２４の内周面とフィルタサポート３の外周面との間は、濾液Ｅが通過する濾液通過空間１２８とされている。また、内ケース１２４は、サポート位置決め部材９１の上面によって下方から支持されている。また、内ケース１２４の長さは、フィルタサポート３の長さより長く形成されている。なお、内ケース１２４の形状としては、筒状であればよい。例えば、断面が四角形や多角形の角筒状とすることができる。なお、内ケース１２４の外周面には、濾塊Ｒの排出時期を認識させるための目印となる図示しないマークを設けることができる。このマークとしては、内ケース１２４の予め設定した位置に、周方向に沿って赤色テープを環状に貼着する構成を挙げることができる。
【０１２９】
その他の構成については、前述した第１実施形態の濾過装置１と同様とされているので、図面中の要部に同一の符号を付し、その詳しい説明については省略する。また、本実施形態の濾過装置１２０を用いた濾過システムは、前述した濾過システム１００（図１０参照）と同様とされているので、その詳しい説明については省略する。
【０１３０】
このような構成からなる本実施形態の濾過装置１２０によれば、前述した第１実施形態の濾過装置１と同様の効果を奏することができるとともに、のぞき窓１２２により、筒状フィルタ２を外部から容易かつ確実に視認することができるので、筒状フィルタ２の目詰まりの具合が容易に分かるし、筒状フィルタ２で分離して堆積した濾塊Ｒの排出時期が容易に分かる。
【０１３１】
（第３実施形態）
図１３は、本発明に係る濾過装置の第３実施形態を示すものである。本実施形態の濾過装置１４０は、筒状フィルタ２をフィルタサポート３の外側に装着したものである。また、本実施形態の濾過装置１４０は、フィルタケース１４１のケース本体１４２に、筒状フィルタ２の目詰まりを除去する洗浄流体Ｃを内部に導くための供給口１４３を流出口４６よりも上方に設けたものである。この洗浄流体Ｃとしては、空気（圧縮空気）や各種の洗浄液を挙げることができる。
【０１３２】
すなわち、本実施形態の濾過装置１４０において、フィルタサポート３の上取付リング部７には、フィルタサポート３の外部に配置された筒状フィルタ２の一端部である上端部が内側に折り返すように取り付けられ、また、下取付リング部８には、フィルタサポート３の外部に配置された筒状フィルタ２の他端部である下端部が内側に折り返すように取り付けられており、これらにより、フィルタサポート３の外側に筒状フィルタ２が装着されている。また、フィルタサポート３の隣位する２本の縦柱１９の相互間に設けられた内外を連通する４つの連通空間（図２参照）は、それぞれ原液Ｇを通過させる通過開口１４４（図１３に２つのみ図示）とされている。そして、ケース本体１４２の内周面と筒状フィルタ２の外周面との間は、濾液Ｅを容易に流下させるための濾液通過空間１４５とされている。
【０１３３】
前記ケース本体１４２の内周面と筒状フィルタ２の外周面との間には、筒状フィルタ２が径方向外側に膨張しても筒状フィルタ２の編み目が拡大して加工粉Ｋが通過する状態になるのを防止するための金属あるいはプラスチックにより円筒状に形成された筒状網体１４６が配設されている。この筒状網体１４６は、その下端がサポート位置決め部材９１（図８参照）によって下方から支持されている。また、筒状網体１４６の上端部を内壁５８の内側に配置することで、ケース本体１４２に対して筒状網体１４６がほぼ同軸になるように位置決めがなされている。
【０１３４】
前記ケース本体１４２の外周面の上部には、ケース本体１４２の内外を連通する供給管１４７がその先端部を径方向外側に向けて設けられている。この供給管１４７は、管継手の一種であるソケットなどから形成されており、ケース本体１４２の外周面の上部に設けられた供給用貫通孔１４８に基端部が挿通された状態で溶着あるいは接着などにより隙間なく固着されている。そして、供給管１４７の図１３の右方に示す先端部の開口は、筒状フィルタ２の目詰まりを除去、すなわち筒状フィルタ２の編み目に引っ掛かった加工粉Ｋを下方に落下させるための洗浄流体Ｃを内部に導くための供給口１４３とされている。つまり、本実施形態においては、流入口４５より下方で、かつ流出口４６よりも上方に供給口１４３が設けられている。また、供給管１４７の内孔の少なくとも先端部には、洗浄流体Ｃを供給するための洗浄用配管１５１（図１４参照）との接続に用いるための雌ねじ１４７ａが形成されている。なお、洗浄流体Ｃとしては、空気、各種の洗浄液を挙げることができる。
【０１３５】
本実施形態の濾過装置１４０において、上蓋４３とケース本体１４２とは、図１３の紙面垂直方向においてケース本体１４２の軸線を中心として点対称に配置された図１３には示されていない２組のスナップキャッチ６５（図１参照）により着脱自在とされている。また、蓋支持パイプ５１および蓋支持棒５９は、２組のスナップキャッチ６５の配列方向に対して直交する方向、すなわち、フィルタケース１４１の軸線を中心に９０度回転した位置に配置されている。
【０１３６】
その他の構成については、前述した第１実施形態の濾過装置１と同様とされているので、図面中の要部に同一の符号を付し、その詳しい説明については省略する。
【０１３７】
（濾過システム）
ここで、本実施形態の濾過装置を用いた濾過システムの一例について図１４により説明する。
【０１３８】
図１４に示すように、本実施形態の濾過システム１５０は、前述した本実施形態の濾過装置１４０と、クーラントタンク１０１と、回収コンテナ１０２と、ポンプ１０３とを有している。また、濾過装置１４０の供給口１４３には、空気、洗浄液などの洗浄流体Ｃをフィルタケース１４１の内部に導くための洗浄用配管１５１の一端が常時閉とされた洗浄用開閉弁１５２を介して接続されている。そして、洗浄用配管１５１の他端は、洗浄流体Ｃの供給源１５５に接続されている。なお、洗浄流体として、空気（圧縮空気）を用いる場合には、工場に設置されているエアー配管が供給源１５５となり、洗浄液を用いる場合には、洗浄液を吸い込んで吐出する図示しない洗浄用ポンプの吐出口となる。また、送出配管１０４ｂは、常時開とされた流入用開閉弁１５３を介して流入口４５と接続されており、流出配管１０５は、常時開とされた流出用開閉弁１５４を介して流出口４６と接続されている。
【０１３９】
その他の構成については、前述した図１０に示す濾過システム１００と同様とされているので、図面中の要部に同一の符号を付し、その詳しい説明については省略する。
【０１４０】
本実施形態の濾過装置１４０を用いた濾過システム１５０によれば、クーラントタンク１０１の原液貯留部１０１ｂに貯留された原液Ｇは、ポンプ１０３の駆動により吸込配管１０４ａから吸い込まれ、送出配管１０４ｂの内部を圧送されて常時開とされた流入用開閉弁１５３を介して濾過装置１４０の流入口４５に供給される。そして、濾過装置１４０の流入口４５に供給された原液Ｇは、流入管５５の内部を上方から下方に通過してフィルタサポート３、ひいては筒状フィルタ２の内部に流入する。すなわち、本実施形態の濾過装置１４０には、原液Ｇを流入口４５から筒状フィルタ２の内側に導くように流入経路が設けられている。
【０１４１】
ついで、筒状フィルタ２の内部に流入した原液Ｇは、通過開口１４４を通過した後、筒状フィルタ２を内側から外側に向かって通過する。この原液Ｇが筒状フィルタ２を通過する際に、原液Ｇに含まれる所定の大きさ以上の加工粉Ｋが濾過作用によって分離される。すなわち、原液Ｇが筒状フィルタ２を径方向に沿って内側から外側に通過する際に、原液Ｇに含まれる所定の大きさ、例えば２０μｍ以上の加工粉Ｋが筒状フィルタ２の編み目によって捕捉され分離されることになる。
【０１４２】
そして、筒状フィルタ２を通過した濾液Ｅは、濾液通過空間１４５、サポート位置決め部材９１の下部通過口９１ｂ（図８参照）をこの順に通過して流出口４６から流出する。すなわち、本実施形態の濾過装置１４０には、筒状フィルタ２で濾過した後の濾液Ｅを筒状フィルタ２の外側を介して流出口４６に導くように流出経路が設けられている。そして、流出口４６から流出する濾液Ｅは、常時開とされた流出用開閉弁１５４を介して流出配管１０５を通過してクーラントタンク１０１の供給液貯留部１０１ａに送られる（図１４参照）。
【０１４３】
一方、筒状フィルタ２により分離された加工粉Ｋは、サポート支持部４４の排出口４７が設けられた下端部、詳しくはバルブ４８の図示しない流路遮断位置を先頭にして順次堆積して濾塊Ｒとなり、筒状フィルタ２の内部に至ることになる。すなわち、本実施形態の濾過装置１４０には、筒状フィルタ２で分離した加工粉Ｋを筒状フィルタ２の内側を介して排出口４７に導くように排出径路が設けられている。そして、排出口４７の上方、ひいては筒状フィルタ２の内部に堆積した濾塊Ｒは、排出口４７に接続されたバルブ４８を開状態とすることで、回収コンテナ１０２に回収される（図１４参照）。
【０１４４】
また、濾塊Ｒを排出すると同時、もしくは濾塊Ｒを排出した後に、供給口１４３を介して洗浄流体Ｃをフィルタケース１４１の内部に供給することにより、筒状フィルタ２の洗浄を行うことができる。すなわち、洗浄流体Ｃをフィルタケース１４１の内部に供給すると、筒状フィルタ２が振動して編み目に引っ掛かった加工粉Ｋが下方に落下し、洗浄流体Ｃとともに回収コンテナ１０２に回収される。勿論、洗浄流体Ｃとして、空気を用いた場合には、加工粉Ｋのみが回収コンテナ１０２に回収され、洗浄液を用いた場合には、加工粉Ｋとともに洗浄液が回収コンテナ１０２に回収されることになる。このとき、洗浄用開閉弁１５２を開状態とし、流入用開閉弁１５３および流出用開閉弁１５４を閉状態とすることで、洗浄流体Ｃが送出配管１０４ｂおよび流出配管１０５に流入するのを防止することができる。勿論、洗浄液を用いることにより、筒状フィルタ２の汚れを除去することができる。
【０１４５】
このような構成からなる本実施形態の濾過装置１４０によれば、前述した第１実施形態の濾過装置１と同様の効果を奏することができるとともに、供給口１４３を介して洗浄流体Ｃをフィルタケース１４１に供給するという簡便な方法により、筒状フィルタ２を取り外すことなく、筒状フィルタ２の編み目に目詰まりした加工粉Ｋを除去することができるので、筒状フィルタ２の交換頻度をより少なくすることができる。その結果、フィルタの寿命をより長くすることができるし、作業者による使い勝手をより向上することができる。また、本実施形態の濾過装置１４０によれば、フィルタサポート３の外側に筒状フィルタ２を容易に装着することができるし、原液Ｇを流入口４５から筒状フィルタ２の内側に導く流入経路と、濾液Ｅを筒状フィルタ２の外側を介して流出口４６に導く流出経路と、筒状フィルタ２で分離した加工粉Ｋを筒状フィルタ２の内側を介して排出口４７に導く排出径路とを確実に得ることができる。さらに、本実施形態の濾過装置１４０の筒状網体１４６は、筒状フィルタ２の編み目が拡大しても加工粉Ｋが通過する状態になるのを防止することができる。
【０１４６】
（第４実施形態）
図１５は、本発明に係る濾過装置の第４実施形態を示すものである。本実施形態の濾過装置１６０は、筒状フィルタ２をフィルタサポート３の外側に装着したものである。また、本実施形態の濾過装置１６０は、フィルタケース１６１のケース本体１６２の外周面の上部に流入口４５を設けるとともに、上蓋４３に筒状フィルタ２の目詰まりを除去する洗浄流体Ｃを内部に導くための供給口１４３を設けたものである。
【０１４７】
すなわち、本実施形態の濾過装置１６０は、前述した第３実施形態の濾過装置１４０と同様に、フィルタサポート３の上取付リング部７には、フィルタサポート３の外部に配置された筒状フィルタ２の一端部である上端部が内側に折り返すように取り付けられており、下取付リング部８には、フィルタサポート３の外部に配置された筒状フィルタ２の他端部である下端部が内側に折り返すように取り付けられており、これらにより、フィルタサポート３の外側に筒状フィルタ２が装着されている。また、フィルタサポート３の隣位する２本の縦柱１９の相互間に設けられた内外を連通する４つの連通空間（図２参照）は、それぞれ濾液Ｅを通過させる通過開口１４４（図１５に２つのみ図示）とされている。そして、フィルタサポート３の内部は、濾液Ｅを容易に流下させるための濾液通過空間１６５とされている。また、ケース本体１６２の内周面と筒状フィルタ２の外周面との間は、少なくとも原液Ｇから分離した加工粉Ｋを下方に向かって導くための粉通過空間１６６とされている。
【０１４８】
前記ケース本体１６２の外周面の上部には、ケース本体１６２の内外を連通する流入管５５がその先端部を径方向外側に向けて設けられている。この流入管５５は、管継手の一種であるソケットなどから形成されており、ケース本体１６２の外周面の上部に設けられた上貫通孔１６７に基端部が挿入された状態で溶着あるいは接着などにより隙間なく固着されている。そして、流入管５５の図１５の右方に示す先端部の開口は、原液Ｇをフィルタケース１６１の内部に導くための流入口４５とされている。
【０１４９】
前記フィルタケース１６１のサポート支持部１７０は、その下部開口を閉塞するサポート底壁部１７１を有しており、上部が開口の有底筒状に形成されている。そして、ケース本体１６２の外周面の下部には、ケース本体１６２の内外を連通する流出管８１がその先端部を径方向外側に向けて設けられている。この流出管８１は、管継手の一種であるソケットなどから形成されており、ケース本体１６２の外周面の下部に設けられた下貫通孔１７３にその長さ方向のほぼ中央部分が挿通された状態で溶着あるいは接着などにより隙間なく固着されている。また、流出管８１の基端部は、サポート支持部１７０の外周面の下部に設けられた流出用貫通孔１７４に挿入された状態で溶着あるいは接着などにより隙間なく固着されている。そして、流出管８１の図１５の右方に示す先端部の開口は、濾液Ｅを外部に流出させるための流出口４６とされている。すなわち、本実施形態において、流入口４５よりも下方に流出口４６が設けられている。
【０１５０】
前記ケース本体１６２の下端部には、上下方向に沿って延在する排出管１７６が設けられている。この排出管１７６は、上端部がケース本体１６２の下端部に接続されているとともに、上部が大径で下部が小径とされたテーパ筒状の接続排出筒部１７７と、この接続排出筒部１７７の下端から下方に延出された円筒状の小径排出筒部１７８とを有している。そして、小径排出筒部１７８の下部開口、すなわち、排出管１７６の図１５の下方に示す下端部の開口は、濾塊Ｒを外部に排出させるための排出口４７とされている。すなわち、本実施形態において、流出口４６よりも下方に排出口４７が設けられている。
【０１５１】
前記ケース本体１６２に着脱自在に取り付けられる上蓋４３の蓋天板５４の中心部には、蓋天板５４の厚さ方向である上下方向に沿って管継手の一種であるソケットなどからなる供給管１４７が配設されている。この供給管１４７は、上蓋４３の図１５の上下方向に示す長さより長く形成されており、上端が蓋天板５４の上面より上方に突出し、下端が蓋胴部５３の下部開口端より下方に突出するように配置されている。また、供給管１４７は、その外周面における長さ方向の中央部より少し上方部分が蓋天板５４の中心部に設けられた内孔であるパイプ用貫通孔５６に挿通された状態で溶着あるいは接着などにより隙間なく固着されている。そして、供給管１４７の上端部の開口は、筒状フィルタ２の目詰まりを除去、すなわち筒状フィルタ２の編み目に引っ掛かった加工粉Ｋを下方に落下させるための洗浄流体Ｃを内部に導くための供給口１４３とされている。つまり、本実施形態において、流入口４５より上方に供給口１４３が設けられている。また、供給管１４７の内孔の少なくとも上端部には、洗浄流体Ｃの洗浄用配管１５１（図１６参照）との接続に用いるための雌ねじ１４７ａが形成されている。
【０１５２】
したがって、本実施形態の濾過装置１６０においては、フィルタケース１６１の最も上部に供給口１４３が設けられ、フィルタケース１６１の外周面の上部に流入口４５が設けられ、フィルタケース１６１の外周面の下部に流出口４６が設けられ、フィルタケース１６１の最も下部に排出口４７が設けられている。
【０１５３】
本実施形態の濾過装置１６０においては、複数の連結棒９２ａを有しているサポート位置決め部材９２が用いられている（図９参照）。この場合、下部通過口９２ｂ（図９参照）は、筒状フィルタ２により分離された加工粉Ｋを下方に通過させるものとなる。
【０１５４】
本実施形態の濾過装置１６０において、上蓋４３とケース本体１６２とは、前述した第３実施形態の濾過装置１４０と同様に、図１５の紙面垂直方向においてケース本体１６２の軸線を中心として点対称に配置された図１５には示されていない２組のスナップキャッチ６５（図１参照）により着脱自在とされている。また、蓋支持パイプ５１および蓋支持棒５９は、２組のスナップキャッチ６５の配列方向に対して直交する方向、すなわち、フィルタケース１４１の軸線を中心に９０度回転した位置に配置されている。
【０１５５】
前記ケース本体１６２の下端部の外周には、その外径がケース本体１６２の外径より大径の円環状に形成されたケース取付板１７９が溶着あるいは接着などにより固着されている。そして、ケース取付板１７９には、前述した第１実施形態の濾過装置１と同様に、濾過装置１６０を図示しない取付板や取付架台などの取付対象物に取り付けるための複数の取付孔５２（図６参照）が形成されている。なお、取付孔５２の代わりに、取付ブラケットを設けてもよい。また、ケース取付板１７９の下面に、濾過装置１６０を自立させるための図示しない複数の脚部を設けてもよい。
【０１５６】
その他の構成については、前述した第１実施形態の濾過装置１および第３実施形態の濾過装置１４０と同様とされているので、図面中の要部に同一の符号を付し、その詳しい説明については省略する。
【０１５７】
（濾過システム）
ここで、本実施形態の濾過装置を用いた濾過システムの一例について図１６により説明する。
【０１５８】
図１６に示すように、本実施形態の濾過システム１８０は、前述した本実施形態の濾過装置１６０と、クーラントタンク１０１と、回収コンテナ１０２と、ポンプ１０３とを有している。また、濾過装置１６０の供給口１４３には、空気、洗浄液などの洗浄流体Ｃをフィルタケース１６１の内部に導くための洗浄用配管１５１の一端が洗浄用開閉弁１５２を介して接続されている。そして、洗浄用配管１５１の他端は、洗浄流体Ｃの供給源１５５に接続されている。
【０１５９】
その他の構成については、前述した図１４に示す濾過システム１５０と同様とされているので、図面中の要部に同一の符号を付し、その詳しい説明については省略する。
【０１６０】
本実施形態の濾過装置１６０を用いた濾過システム１８０によれば、ポンプ１０３の駆動により濾過装置１６０の流入口４５に供給された原液Ｇは、流入管５５の内部を径方向外側から中心側に通過して筒状フィルタ２の外側に流入する。すなわち、本実施形態の濾過装置１６０には、原液Ｇを流入口４５から筒状フィルタ２の外側に導くように流入経路が設けられている。そして、筒状フィルタ２の外側に供給された原液Ｇは、筒状フィルタ２を外側から内側に向かって通過する。この原液Ｇが筒状フィルタ２を通過する際に、原液Ｇに含まれる所定の大きさ以上の加工粉Ｋが濾過作用によって分離される。すなわち、原液Ｇが筒状フィルタ２を外側から内側に通過する際に、原液Ｇに含まれる所定の大きさ、例えば２０μｍ以上の加工粉Ｋが筒状フィルタ２の編み目によって捕捉され分離されることになる。
【０１６１】
そして、筒状フィルタ２を通過した濾液Ｅは、通過開口１４４、濾液通過空間１６５をこの順に通過して流出口４６から流出する。すなわち、本実施形態の濾過装置１６０には、筒状フィルタ２で濾過した後の濾液Ｅを筒状フィルタ２の内側を介して流出口４６に導くように流出経路が設けられている。そして、流出口４６から流出する濾液Ｅは、常時開とされた流出用開閉弁１５４を介して流出配管１０５を通過してクーラントタンク１０１の供給液貯留部１０１ａに送られる（図１６参照）。
【０１６２】
一方、筒状フィルタ２により分離された加工粉Ｋは、排出管１７６の下端部、詳しくはバルブ４８の図示しない流路遮断位置を先頭にして順次堆積して濾塊Ｒとなり、ケース本体１６２の内部に至ることになる。すなわち、本実施形態の濾過装置１６０には、筒状フィルタ２で分離した加工粉Ｋを筒状フィルタ２の外側を介して排出口４７に導くように排出径路が設けられている。そして、排出口４７の上方、ひいては筒状フィルタ２の内部に堆積した濾塊Ｒは、排出口４７に接続されたバルブ４８を開状態とすることで、回収コンテナ１０２に回収される（図１６参照）。
【０１６３】
また、濾塊Ｒを排出すると同時、もしくは濾塊Ｒを排出した後で、供給口１４３を介して洗浄流体Ｃをフィルタケース１４１の内部に供給することにより、筒状フィルタ２の洗浄を行うことができる。すなわち、洗浄流体Ｃをフィルタケース１４１の内部に供給すると、筒状フィルタ２が振動したりして編み目に引っ掛かった加工粉Ｋが下方に落下し、洗浄流体Ｃとともに回収コンテナ１０２に回収される。勿論、洗浄流体Ｃとして、空気を用いた場合には、加工粉Ｋのみが回収コンテナ１０２に回収され、洗浄液を用いた場合には、加工粉Ｋとともに洗浄液が回収コンテナ１０２に回収されることになる。このとき、洗浄用開閉弁１５２を開状態とし、流入用開閉弁１５３および流出用開閉弁１５４を閉状態とすることで、洗浄流体Ｃが送出配管１０４ｂおよび流出配管１０５に流入するのを防止することができる。なお、筒状フィルタ２の分離された加工粉Ｋの堆積による目詰まりの進行にともなって筒状フィルタ２が下部から径方向内側に収縮するので、筒状フィルタ２の編み目が拡大して、濾過機能の低下や流量の低下を軽減することができる。
【０１６４】
このような構成からなる本実施形態の濾過装置１６０によれば、前述した第１実施形態の濾過装置１と同様の効果を奏することができるとともに、供給口１４３を介して洗浄流体Ｃをフィルタケース１６１に供給するという簡便な方法により、筒状フィルタ２を取り外すことなく、筒状フィルタ２の編み目に目詰まりした加工粉Ｋを除去することができるので、筒状フィルタ２の交換頻度をより少なくすることができる。その結果、フィルタの寿命をより長くすることができるし、作業者による使い勝手をより向上することができる。また、本実施形態の濾過装置１６０によれば、フィルタサポート３の外側に筒状フィルタ２を容易に装着することができるし、原液Ｇを流入口４５から筒状フィルタ２の外側に導く流入経路と、濾液Ｅを筒状フィルタ２の内側を介して流出口４６に導く流出経路と、筒状フィルタ２で分離した加工粉Ｋを筒状フィルタ２の外側を介して排出口４７に導く排出径路とを確実に得ることができる。
【０１６５】
（第５実施形態）
図１７は、本発明に係る濾過装置の第５実施形態を示すものである。本実施形態の濾過装置２００は、筒状フィルタ２をフィルタサポート２０３の内側に装着したものである。また、本実施形態の濾過装置２００は、原液Ｇをフィルタケース２０４の内部に吸引可能としたものである。さらに、本実施形態の濾過装置２００は、フィルタケース２０４の上蓋２３０およびケース本体２０５の上部にそれぞれ流入口４５を設けて選択使用可能とするとともに、使用されない流入口４５を筒状フィルタ２の目詰まりを除去する洗浄流体Ｃを内部に導くための供給口１４３としたものである。
【０１６６】
すなわち、本実施形態の濾過装置２００のフィルタサポート２０３は、上取付リング部７に設けられた上フランジ１２が下取付リング部８に設けられた下フランジ１６より大径に形成されている。また、上取付リング部７の内孔には、前述したフィルタサポート３の上取付リング部７の内孔に設けられた凹テーパ面１３は形成されておらず、上筒状基体１１および下筒状基体１５は、ともに円筒状に形成されている。そして、上筒状基体１１と下筒状基体１５とが４本の縦柱１９からなる上下接続部９によって接続されており、隣位する２本の縦柱１９の相互間は内外を連通する連通空間とされており、周方向に配列された４つの連通空間により、本図には示さない濾液Ｅを通過させる通過開口が構成されている（図２の符号２０参照）。
【０１６７】
そして、前述した第１実施形態の濾過装置１と同様に、フィルタサポート２０３の上取付リング部７には、フィルタサポート２０３の外部に配置された筒状フィルタ２の一端部である上端部が外側に折り返すように取り付けられており、下取付リング部８には、フィルタサポート２０３の外部に配置された筒状フィルタ２の他端部である下端部が外側に折り返すように取り付けられており、これらにより、フィルタサポート２０３の内側に筒状フィルタ２が装着されている。そして、ケース本体２０５の内周面と筒状フィルタ２の外周面との間は、濾液Ｅを容易に流下させるための濾液通過空間２０６とされている。
【０１６８】
本実施形態のケース本体２０５の内面には、ケース本体２０５の上部開口端から予め設定された間隔、例えば３０ｍｍ程度の間隔をおいて環状に形成された上支持リング２１１が溶着あるいは接着などにより隙間なく固着されている。この上支持リング２１１の内孔は、上フランジ１２の外径より小径で、下フランジ１６の外径より大径にされている。また、上支持リング２１１の上面の内孔側には、内孔に連通する断面矩形状の環状受け溝２１２が形成されており、この環状受け溝２１２には、フランジ受けリング２１３が着脱自在に装着されている。
【０１６９】
前記フランジ受けリング２１３の外径は、環状受け溝２１２の外径より若干小径とされており、内径は、上支持リング２１１の内径とほぼ等しくされている。そして、フランジ受けリング２１３の上面の内孔側には、内孔に連通する断面矩形状の環状支持溝２１４が形成されており、この環状支持溝２１４には、フィルタサポート２０３の上フランジ１２の外周部分（下フランジ１６より大径部分）が着脱自在に装着されている。この環状支持溝２１４の外径は、上フランジ１２の外径より少なくとも筒状フィルタ２の厚みの分だけ大径に形成されている。そして、上フランジ１２の外周部分を環状支持溝２１４により下方から支持するように装着することで、上フランジ１２の径方向の位置決めを行うことができるとともに、上取付リング部７に対して外側に折り返すように取り付けられている筒状フィルタ２の折返し部分を上フランジ１２の下面と環状支持溝２１４の底面との間で挟持できるようになっている。
【０１７０】
前記環状受け溝２１２の底面とこれに対向するフランジ受けリング２１３の下面との間には、ガスケットとしてのＯリング２１５が配設されている。このＯリング２１５は、環状受け溝２１２の底面に設けられた断面矩形状のシール装着溝２１６に取り付けられている。なお、ガスケットとしては、角リングなどの各種のものを使用することができる。
【０１７１】
前記上支持リング２１１およびフランジ受けリング２１３により、本実施形態のケース本体２０５の上部開口側に設けられた上取付リング部７を位置決め支持するための環状上支持部２１７が構成されている。なお、環状上支持部２１７としては、上支持リング２１１とフランジ受けリング２１３とを一体化したものであってもよい。
【０１７２】
前記ケース本体２０５の上部開口と環状上支持部２１７の配設位置との間には、ケース本体２０５の内外を連通する第２流入管２１８がその先端部を径方向外側に向けて設けられている。この第２流入管２１８は、管継手の一種であるソケットなどから形成されており、ケース本体２０５の外周面の上部に設けられた上貫通孔１６７に基端部が挿入された状態で溶着あるいは接着などにより隙間なく固着されている。そして、第２流入管２１８の図１７の右方に示す先端部の開口は、流入口４５あるいは供給口１４３とされている。また、第２流入管２１８の内孔の少なくとも先端部には、供給配管１０４あるいは洗浄用配管１５１（図１８参照）との接続に用いるための雌ねじ２１８ａが形成されている。
【０１７３】
前記ケース本体２０５の上部開口端部には、径方向外側に延出する連結用フランジ部としてのケースフランジ２２０が設けられており、このケースフランジ２２０の外周下角部には、ケーステーパ面２２１が形成されている。また、ケースフランジ２２０の上面には、ガスケットとしてのＯリング２２２が配設されている。このＯリング２２２は、ケースフランジ２２０の上面に設けられたシール装着溝２２３に取り付けられている。
【０１７４】
本実施形態の上蓋２３０は、金属により円盤状に形成されており、上蓋２３０の外周部分は、ケースフランジ２２０に対向配置される連結用フランジ部としてのカバーフランジ２３１とされている。そして、カバーフランジ２３１の外周上角部には、カバーテーパ面２３２が形成されている。このカバーテーパ面２３２と、ケーステーパ面２２１とは、カバーフランジ２３１とケースフランジ２２０との対向面を中心として面対称に設けられている。また、上蓋２３０の下面には、ケース本体２０５の上部開口に嵌合される嵌合凸部２３３が設けられている。さらに、カバーフランジ２３１の外径は、ケースフランジ２２０の外径と等しく形成されている。
【０１７５】
さらにまた、上蓋２３０の中心部には、上蓋２３０の厚さ方向である上下方向に沿って管継手の一種であるソケットなどからなる第１流入管２３４が配設されている。この第１流入管２３４は、その長さが上蓋２３０の図１７の上下方向に示す厚さより長く形成されており、上端が上蓋２３０の上面より上方に突出し、下端が上蓋２３０の下面より下方に突出するように配置されている。また、第１流入管２３４は、その外周面における長さ方向の中央部分が上蓋２３０の中心部に設けられた内孔であるパイプ用貫通孔２３５に挿通された状態で溶着あるいは接着などにより隙間なく固着されている。
【０１７６】
そして、第１流入管２３４の上端部の開口は、原液Ｇをフィルタケース２０４の内部に導くための流入口４５、あるいは筒状フィルタ２の目詰まりを除去する洗浄流体Ｃをフィルタケース２０４の内部に導くための供給口１４３とされている。また、第１流入管２３４の内孔の少なくとも上端部には、原液Ｇの供給配管１０４、または洗浄流体Ｃの洗浄用配管１５１（図１８参照）との接続に用いるための雌ねじ２３４ａが形成されている。またさらに、第１流入管２３４の下端部は、上取付リング部７の開口の形成されている領域と対向するように配置されている。
【０１７７】
したがって、本実施形態の濾過装置２００においては、フィルタケース２０４の最も上部に流入口４５または供給口１４３が設けられ、フィルタケース２０４の外周面の上部に流入口４５または供給口１４３が設けられ、フィルタケース２０４の外周面の下部に流出口４６が設けられ、フィルタケース２０４の最も下部に排出口４７が設けられている。
【０１７８】
前記ケース本体２０５と上蓋２３０とは、前述した第１実施形態の濾過装置１におけるスナップキャッチ６５ではなく、配管を軸方向に着脱自在に接続することのできる周知の締結具であるＶバンド軸継手２３６により着脱自在に取り付けられている。このＶバンド軸継手２３６としては、Ｖバンドカップリング（横浜ゴム株式会社製商品名）を挙げることができる。
【０１７９】
前記上蓋２３０の下面と上フランジ１２との間には、ケース本体２０５の上部開口端に上蓋２３０を取り付けた状態で、フィルタサポート２０３を下方に向かって付勢する付勢部材としての圧縮ばね２３７が配設されている。そして、ケース本体２０５の上部開口端に上蓋２３０を取り付けた状態で、圧縮ばね２３７のばね力（付勢力）によってフィルタサポート２０３を下方に向かって付勢することにより、筒状フィルタ２の上部を上取付リング部７との間で挟持するとともに、筒状フィルタ２の下部を下フランジ１６とサポート支持部４４の上部開口端との間に挟持することができるようになっている。なお、付勢部材としては、複数の圧縮ばねあるいはゴムなどの弾性体を上フランジ１２の上面に同心円状に並ぶように配置する構成としてもよい。また、付勢部材は、筒状フィルタ２を上取付リング部７との間で挟持するという意味で、前述した第１実施形態の濾過装置１における押圧リング６０と同様の機能を有している。
【０１８０】
なお、ケース本体２０５および上蓋２３０をプラスチックにより形成することもできるが、フィルタケース２０４の内部を減圧したときのフィルタケース２０４の耐圧性を容易かつ確実に得ることができるという意味で、ケース本体２０５および上蓋２３０を金属により形成することが好ましい。
【０１８１】
その他の構成については、前述した第１実施形態の濾過装置１と同様とされているので、図面中の要部に同一の符号を付し、その詳しい説明については省略する。
【０１８２】
（濾過システム）
ここで、本実施形態の濾過装置を用いた濾過システムの一例について図１８により説明する。
【０１８３】
図１８に示すように、本実施形態の濾過システム２４０は、前述した本実施形態の濾過装置２００と、クーラントタンク１０１と、回収コンテナ１０２と、ポンプ１０３とを有している。そして、原液貯留部１０１ｂには、供給配管１０４の一端が液面下に配置されており、供給配管１０４の他端は、濾過装置２００の流入口４５に接続されている。また、濾過装置２００の流出口４６には、流出配管１０５の一部を構成する吸引配管１０５ａの一端が接続されており、吸引配管１０５ａの他端は、ポンプ１０３の図示しない吸込口に接続されている。また、ポンプ１０３の図示しない吐出口には、流出配管１０５の他部を構成する吐出配管１０５ｂの一端が接続されており、吐出配管１０５ｂの他端は、供給液貯留部１０１ａの上方に配置されている。
【０１８４】
そして、ポンプ１０３を駆動することにより、吸引配管１０５ａを介して濾過装置２００のフィルタケース２０４の内部を減圧することができるので、供給配管１０４を介して原液Ｇを濾過装置２００に吸引するとともに、流出配管１０５を介して濾液Ｅを供給液貯留部１０１ａに導くことができるようになっている。また、濾過装置２００の供給口１４３には、洗浄流体Ｃをフィルタケース２０４の内部に導くための洗浄用配管１５１の一端が常時閉とされた洗浄用開閉弁１５２を介して接続されている。
【０１８５】
ここで、配管仕様により第１流入管２３４の開口と第２流入管２１８の開口とのどちらを流入口４５とするか選択される。そして、第１流入管２３４の開口を流入口４５として選択した場合には、図１８（ａ）に示すように、第１流入管２３４に供給配管１０４が接続され、第２流入管２１８に洗浄用配管１５１が接続されることになる。また、第２流入管２１８の開口を流入口４５として選択した場合には、図１８（ｂ）に示すように、第１流入管２３４に洗浄用配管１５１が接続され、第２流入管２１８に供給配管１０４が接続されることになる。
【０１８６】
その他の構成については、前述した図１４および図１６に示す濾過システム１５０、１８０と同様とされているので、図面中の要部に同一の符号を付し、その詳しい説明については省略する。
【０１８７】
本実施形態の濾過装置２００を用いた濾過システム２４０によれば、ポンプ１０３を駆動することにより、吸引配管１０５ａを介して濾過装置２００のフィルタケース２０４の内部が減圧されるので、供給配管１０４を介して原液Ｇが濾過装置２００に吸引される。そして、濾過装置２００の流入口４５に供給された原液Ｇは、第１流入管２３４の内部を上方から下方に通過、または第２流入管２１８の内部を径方向外側から中心側に通過して筒状フィルタ２の内側に流入する。すなわち、本実施形態の濾過装置２００には、原液Ｇを流入口４５から筒状フィルタ２の内側に導くように流入経路が設けられている。そして、筒状フィルタ２の内側に供給された原液Ｇは、筒状フィルタ２を内側から外側に向かって通過する。この原液Ｇが筒状フィルタ２を通過する際に、原液Ｇに含まれる所定の大きさ以上の加工粉Ｋが濾過作用によって分離される。すなわち、原液Ｇが筒状フィルタ２を内側から外側に通過する際に、原液Ｇに含まれる所定の大きさ、例えば２０μｍ以上の加工粉Ｋが筒状フィルタ２の編み目によって捕捉され分離されることになる。
【０１８８】
そして、筒状フィルタ２を通過した濾液Ｅは、通過開口（図２の符号２０参照）、濾液通過空間２０６、下部通過口（図８の符号９１ｂまたは図９の符号９２ｂ参照）、および流出管８１の内部をこの順に通過して流出口４６から流出する。すなわち、本実施形態の濾過装置２００には、筒状フィルタ２で濾過した後の濾液Ｅを筒状フィルタ２の外側を介して流出口４６に導くように流出経路が設けられている。そして、流出口４６から流出する濾液Ｅは、吸引配管１０５ａ、ポンプ１０３および吐出配管１０５ｂを通過してクーラントタンク１０１の供給液貯留部１０１ａに送られる（図１８参照）。
【０１８９】
一方、筒状フィルタ２により分離された加工粉Ｋは、サポート支持部４４の排出口４７が設けられた下端部、詳しくはバルブ４８の図示しない流路遮断位置を先頭にして順次堆積して濾塊Ｒとなり、筒状フィルタ２の内部に至ることになる。すなわち、本実施形態の濾過装置２００には、筒状フィルタ２で分離した加工粉Ｋを筒状フィルタ２の内側を介して排出口４７に導くように排出径路が設けられている。そして、排出口４７の上方、ひいては筒状フィルタ２の内部に堆積した濾塊Ｒは、排出口４７に接続されたバルブ４８を開状態とすることで、回収コンテナ１０２に回収される（図１８参照）。
【０１９０】
また、濾塊Ｒを排出すると同時、もしくは濾塊Ｒを排出した後で、供給口１４３を介して洗浄流体Ｃをフィルタケース２０４の内部に供給することにより、筒状フィルタ２の洗浄を行うことができる。すなわち、洗浄流体Ｃをフィルタケース２０４の内部に供給すると、筒状フィルタ２が振動して編み目に引っ掛かった加工粉Ｋが下方に落下し、回収コンテナ１０２に回収される。勿論、洗浄流体Ｃとして、空気を用いた場合には、加工粉Ｋのみが回収コンテナ１０２に回収されることになる。このとき、洗浄用開閉弁１５２を開状態とし、流入用開閉弁１５３および流出用開閉弁１５４を閉状態とすることで、洗浄流体Ｃが供給配管１０４および吸引配管１０５ａに流入するのを防止することができる。
【０１９１】
このような構成からなる本実施形態の濾過装置２００によれば、前述した第１実施形態の濾過装置１と同様の効果を奏することができるとともに、フィルタサポート２０３の内側に筒状フィルタ２を容易に装着することができるし、原液Ｇを流入口４５から筒状フィルタ２の内側に導く流入経路と、筒状フィルタ２で濾過した後の濾液Ｅを筒状フィルタ２の外側を介して流出口４６に導く流出経路と、筒状フィルタ２で分離した加工粉Ｋを筒状フィルタ２の内側を介して排出口４７に導く排出径路とを確実に得ることができる。さらに、本実施形態の濾過装置２００によれば、上蓋２３０とケース本体２０５との２箇所に流入口４５が設けられているので、２つの流入口４５を配管仕様により使い分けすることができる。例えば、流入口４５に接続する配管である供給配管１０４が可撓性を有していない場合には、ケース本体２０５に設けられた第２流入管２１８の開口を流入口４５として使用することで、上蓋２３０の着脱を容易にできる。さらにまた、本実施形態の濾過装置２００によれば、ケース本体２０５と上蓋２３０との間をＯリング２２２でシールすることができるから、原液Ｇをフィルタケース２０４の内部に吸引して濾液Ｅを強制的に流出させることができるので、濾過効率の向上を容易に図ることができる。
【０１９２】
（第６実施形態）
図１９は、本発明に係る濾過装置の第６実施形態を示すものである。本実施形態の濾過装置２５０は、筒状フィルタ２をフィルタサポート２０３の外側に装着したものである。また、本実施形態の濾過装置２５０は、原液Ｇをフィルタケース２５４の内部に吸引可能としたものである。さらに、本実施形態の濾過装置２５０は、ケース本体２５５に流入口４５を設け、上蓋２５６に供給口１４３を設けたものである。
【０１９３】
すなわち、本実施形態の濾過装置２５０は、前述した第５実施形態の濾過装置２００におけるフィルタサポート２０３を有している。そして、前述した第４実施形態の濾過装置１６０と同様に、フィルタサポート２０３の上取付リング部７には、フィルタサポート２０３の外部に配置された筒状フィルタ２の一端部である上端部が内側に折り返すように取り付けられ、また、下取付リング部８には、フィルタサポート２０３の外部に配置された筒状フィルタ２の他端部である下端部が内側に折り返すように取り付けられており、これらにより、フィルタサポート２０３の外側に筒状フィルタ２が装着されている。また、フィルタサポート２０３の隣位する２本の縦柱１９の相互間は内外を連通する連通空間とされており、周方向に配列された４つの連通空間は、それぞれ濾液Ｅを通過させる通過開口２５７（図１９に２つのみ図示）とされている。そして、フィルタサポート２０３の内部は、濾液Ｅを容易に流下させるための濾液通過空間２５８とされている。また、ケース本体２５５の内周面と筒状フィルタ２の外周面との間は、少なくとも原液Ｇから分離した加工粉Ｋを下方に向かって導くための粉通過空間２５９とされている。
【０１９４】
本実施形態のケース本体２５５の内面には、ケース本体２５５の上部開口端から予め設定された間隔、例えば３０ｍｍ程度の間隔をおいて環状に形成された上支持リング２６１が溶着あるいは接着などにより隙間なく固着されている。この上支持リング２６１の内孔は、上フランジ１２の外径より小径で、下フランジ１６の外径より大径にされている。また、上支持リング２６１の上面の内孔側には、内孔に連通する断面矩形状の環状受け溝２６２が形成されており、この環状受け溝２６２には、フランジ受けリング２６３が着脱自在に装着されている。
【０１９５】
前記フランジ受けリング２６３の外径は、環状受け溝２６２の外径より若干小径とされており、内径は、上支持リング２６１の内径とほぼ等しくされている。そして、フランジ受けリング２６３の上面の内孔側には、内孔に連通する断面矩形状の環状支持溝２６４が形成されており、この環状支持溝２６４には、フィルタサポート２０３の上フランジ１２の外周部分（下フランジ１６より大径部分）が着脱自在に装着されている。この環状支持溝２６４の外径は、上フランジ１２の外径より少なくとも筒状フィルタ２の厚みの分だけ大径に形成されている。そして、上フランジ１２の外周部分を環状支持溝２６４により下方から支持するように装着することで、上フランジ１２の径方向の位置決めを行うことができるとともに、上取付リング部７に対して内側に折り返すように取り付けられている筒状フィルタ２の折返し部分を上フランジ１２の下面と環状支持溝２６４の底面との間で挟持できるようになっている。
【０１９６】
前記環状受け溝２６２の底面とこれに対向するフランジ受けリング２６３の下面との間には、ガスケットとしてのＯリング２６５が配設されている。このＯリング２６５は、環状受け溝２６２の底面に設けられた断面矩形状のシール装着溝２６６に取り付けられている。なお、ガスケットとしては、角リングなどの各種のものを使用することができる。
【０１９７】
前記上支持リング２６１およびフランジ受けリング２６３により、本実施形態のケース本体２５５の上部開口側に設けられた上取付リング部７を位置決め支持するための環状上支持部２６７が構成されている。なお、環状上支持部２６７としては、上支持リング２６１とフランジ受けリング２６３とを一体化したものであってもよい。
【０１９８】
前記ケース本体２５５の外周面の上部で、環状上支持部２６７より下方には、ケース本体２５５の内外を連通する流入管５５がその先端部を径方向外側に向けて設けられている。この流入管５５は、管継手の一種であるソケットなどから形成されており、ケース本体２５５の外周面の上部に設けられた上貫通孔１６７に基端部が挿入された状態で溶着あるいは接着などにより隙間なく固着されている。そして、流入管５５の図１９の右方に示す先端部の開口は、流入口４５とされている。また、流入管５５の内孔の少なくとも先端部には、供給配管１０４（図２０参照）との接続に用いるための雌ねじ５５ａが形成されている。
【０１９９】
前記ケース本体２５５の上部開口端部には、径方向外側に延出する連結用フランジ部としてのケースフランジ２７０が設けられており、このケースフランジ２７０の外周下角部には、ケーステーパ面２７１が形成されている。また、ケースフランジ２７０の上面には、ガスケットとしてのＯリング２７２が配設されている。このＯリング２７２は、ケースフランジ２７０の上面に設けられたシール装着溝２７３に取り付けられている。
【０２００】
本実施形態の上蓋２５６は、金属により円盤状に形成されており、上蓋２５６の外周部分は、ケースフランジ２７０に対向配置される連結用フランジ部としてのカバーフランジ２７５とされている。そして、カバーフランジ２７５の外周上角部には、カバーテーパ面２７６が形成されている。このカバーテーパ面２７６と、ケーステーパ面２７１とは、カバーフランジ２７５とケースフランジ２７０との対向面を中心として面対称に設けられている。また、上蓋２５６の下面には、ケース本体２５５の上部開口に嵌合される嵌合凸部２７７が設けられている。さらに、カバーフランジ２７５の外径は、ケースフランジ２７０の外径と等しく形成されている。
【０２０１】
さらにまた、上蓋２５６の中心部には、上蓋２５６の厚さ方向である上下方向に沿って管継手の一種であるソケットなどからなる供給管１４７が配設されている。この供給管１４７は、その長さが上蓋２５６の図１９の上下方向に示す厚さより長く形成されており、上端が上蓋２５６の上面より上方に突出し、下端が上蓋２５６の下面より下方に突出するように配置されている。また、供給管１４７は、その外周面における長さ方向の中央部分が上蓋２５６の中心部に設けられた内孔であるパイプ用貫通孔２７８に挿通された状態で溶着あるいは接着などにより隙間なく固着されている。
【０２０２】
そして、供給管１４７の上端部の開口は、筒状フィルタ２の目詰まりを除去する洗浄流体Ｃをフィルタケース２５４の内部に導くための供給口１４３とされている。また、供給管１４７の内孔の少なくとも上端部には、洗浄流体Ｃの洗浄用配管１５１（図２０参照）との接続に用いるための雌ねじ１４７ａが形成されている。またさらに、供給管１４７の下端部は、上取付リング部７の開口の形成されている領域と対向するように配置されている。
【０２０３】
したがって、本実施形態の濾過装置２５０においては、フィルタケース２５４の最も上部に供給口１４３が設けられ、フィルタケース２５４の外周面の上部に流入口４５が設けられ、フィルタケース２５４の外周面の下部に流出口４６が設けられ、フィルタケース２５４の最も下部に排出口４７が設けられている。
【０２０４】
前記ケース本体２５５と上蓋２５６とは、前述した第５実施形態の濾過装置２００（図１７）と同様に、第１実施形態の濾過装置１におけるスナップキャッチ６５ではなく、配管を軸方向に着脱自在に接続することのできる周知の締結具であるＶバンド軸継手２７９により着脱自在に取り付けられている。このＶバンド軸継手２７９としては、Ｖバンドカップリング（横浜ゴム株式会社製商品名）を挙げることができる。
【０２０５】
前記上蓋２５６の下面と上フランジ１２との間には、ケース本体２５５の上部開口端に上蓋２５６を取り付けた状態で、フィルタサポート２０３を下方に向かって付勢する付勢部材としての円筒状に形成されたゴム筒２８０が配設されている。このゴム筒２８０の内孔は、供給管１４７の外径より若干小さく形成されており、供給管１４７を抱き締めするように形成されている。すなわち、ゴム筒２８０は、供給管１４７の上蓋２５６の下方に配置された部分に挿脱自在とされており、これにより上蓋２５６に着脱自在に取り付けられている。
【０２０６】
そして、ケース本体２５５の上部開口端に上蓋２５６を取り付けた状態で、ゴム筒２８０のゴム弾性（付勢力）によってフィルタサポート２０３を下方に向かって付勢することにより、筒状フィルタ２の上部を上取付リング部７との間で挟持するとともに、筒状フィルタ２の下部を下フランジ１６とサポート支持部１７０の上部開口端との間で挟持することができるようになっている。なお、付勢部材としては、圧縮ばねなどの弾性体を用いてもよい。また、付勢部材は、筒状フィルタ２を上取付リング部７との間で挟持するという意味で、前述した第１実施形態の濾過装置１における押圧リング６０と同様の機能を有している。
【０２０７】
なお、ケース本体２５５および上蓋２５６をプラスチックにより形成することもできるが、フィルタケース２５４の内部を減圧したときのフィルタケース２５４の耐圧性を容易かつ確実に得ることができるという意味で、ケース本体２５５および上蓋２５６を金属により形成することが好ましい。
【０２０８】
その他の構成については、前述した第４実施形態の濾過装置１６０と同様とされているので、図面中の要部に同一の符号を付し、その詳しい説明については省略する。
【０２０９】
（濾過システム）
ここで、本実施形態の濾過装置を用いた濾過システムの一例について図２０により説明する。
【０２１０】
図２０に示すように、本実施形態の濾過システム２９０は、前述した本実施形態の濾過装置２５０と、クーラントタンク１０１と、回収コンテナ１０２と、ポンプ１０３とを有している。そして、原液貯留部１０１ｂには、供給配管１０４の一端が液面下に配置されており、供給配管１０４の他端は、濾過装置２５０の流入口４５に接続されている。また、濾過装置２５０の流出口４６には、流出配管１０５の一部を構成する吸引配管１０５ａの一端が接続されており、吸引配管１０５ａの他端は、ポンプ１０３の図示しない吸込口に接続されている。また、ポンプ１０３の図示しない吐出口には、流出配管１０５の他部を構成する吐出配管１０５ｂの一端が接続されており、吐出配管１０５ｂの他端は、供給液貯留部１０１ａの上方に配置されている。
【０２１１】
そして、ポンプ１０３を駆動することにより、吸引配管１０５ａを介して濾過装置２５０のフィルタケース２５４の内部を減圧することができるので、供給配管１０４を介して原液Ｇを濾過装置２５０に吸引するとともに、流出配管１０５を介して濾液Ｅを供給液貯留部１０１ａに導くことができるようになっている。また、濾過装置２５０の供給口１４３には、洗浄流体Ｃをフィルタケース２５４の内部に導くための洗浄用配管１５１の一端が常時閉とされた洗浄用開閉弁１５２を介して接続されている。
【０２１２】
その他の構成については、前述した図１８（ｂ）に示す濾過システム２４０と同様とされているので、図面中の要部に同一の符号を付し、その詳しい説明については省略する。
【０２１３】
本実施形態の濾過装置２５０を用いた濾過システム２９０によれば、ポンプ１０３を駆動することにより、吸引配管１０５ａを介して濾過装置２５０のフィルタケース２５４の内部が減圧されるので、供給配管１０４を介して原液Ｇが濾過装置２５０に吸引される。そして、濾過装置２５０の流入口４５に供給された原液Ｇは、流入管５５の内部を径方向外側から内側に通過して筒状フィルタ２の外側に流入する。すなわち、本実施形態の濾過装置２５０には、原液Ｇを流入口４５から筒状フィルタ２の外側に導くように流入経路が設けられている。そして、筒状フィルタ２の外側に供給された原液Ｇは、筒状フィルタ２を外側から内側に向かって通過する。この原液Ｇが筒状フィルタ２を通過する際に、原液Ｇに含まれる所定の大きさ以上の加工粉Ｋが濾過作用によって分離される。すなわち、原液Ｇが筒状フィルタ２を外側から内側に通過する際に、原液Ｇに含まれる所定の大きさ、例えば２０μｍ以上の加工粉Ｋが筒状フィルタ２の編み目によって捕捉され分離されることになる。
【０２１４】
そして、筒状フィルタ２を通過した濾液Ｅは、通過開口２５７、濾液通過空間２５８をこの順に通過して流出口４６から流出する。すなわち、本実施形態の濾過装置２５０には、筒状フィルタ２で濾過した後の濾液Ｅを筒状フィルタ２の内側を介して流出口４６に導くように流出経路が設けられている。そして、流出口４６から流出する濾液Ｅは、流出配管１０５を通過してクーラントタンク１０１の供給液貯留部１０１ａに送られる（図２０参照）。
【０２１５】
一方、筒状フィルタ２により分離された加工粉Ｋは、排出管１７６の下端部、詳しくはバルブ４８の図示しない流路遮断位置を先頭にして順次堆積して濾塊Ｒとなり、ケース本体２５５の内部に至ることになる。すなわち、本実施形態の濾過装置２５０には、筒状フィルタ２で分離した加工粉Ｋを筒状フィルタ２の外側を介して排出口４７に導くように排出径路が設けられている。そして、排出口４７の上方、ひいては筒状フィルタ２の内部に堆積した濾塊Ｒは、排出口４７に接続されたバルブ４８を開状態とすることで、回収コンテナ１０２に回収される（図２０参照）。
【０２１６】
また、濾塊Ｒを排出すると同時、もしくは濾塊Ｒを排出した後で、供給口１４３を介して洗浄流体Ｃをフィルタケース２５４の内部に供給することにより、筒状フィルタ２の洗浄を行うことができる。すなわち、洗浄流体Ｃをフィルタケース２５４の内部に供給すると、筒状フィルタ２が振動したりして編み目に引っ掛かった加工粉Ｋが下方に落下し、回収コンテナ１０２に回収される。勿論、洗浄流体Ｃとして、空気を用いた場合には、加工粉Ｋのみが回収コンテナ１０２に回収されることになる。このとき、洗浄用開閉弁１５２を開状態とし、流入用開閉弁１５３および流出用開閉弁１５４を閉状態とすることで、洗浄流体Ｃが供給配管１０４および吸引配管１０５ａに流入するのを防止することができる。
【０２１７】
このような構成からなる本実施形態の濾過装置２５０によれば、前述した第４実施形態の濾過装置１６０と同様の効果を奏することができるとともに、フィルタサポート２０３の外側に筒状フィルタ２を容易に装着することができるし、原液Ｇを流入口４５から筒状フィルタ２の外側に導く流入経路と、筒状フィルタ２で濾過した後の濾液Ｅを筒状フィルタ２の内側を介して流出口４６に導く流出経路と、筒状フィルタ２で分離した加工粉Ｋを筒状フィルタ２の外側を介して排出口４７に導く排出径路とを確実に得ることができる。さらにまた、本実施形態の濾過装置２５０によれば、ケース本体２５５と上蓋２５６との間をＯリング２７２でシールすることができるから、原液Ｇをフィルタケース２５４の内部に吸引して濾液Ｅを強制的に流出させることができるので、濾過効率の向上を容易に図ることができる。
【０２１８】
なお、本発明は、前述した各実施形態に限定されるものではなく、必要に応じて種々の変更が可能である。例えば、１つのフィルタケースの内部に複数の筒状フィルタを配置することができる。また、ケース本体を透明なプラスチックにより形成して、筒状フィルタを外部から視認するようにしてもよい。
【符号の説明】
【０２１９】
１、１２０、１４０、１６０、２００、２５０  濾過装置
２  筒状フィルタ
３、３ａ、３ｂ、３ｃ、２０３  フィルタサポート
４、１２１、１４１、１６１、２０４、２５４  フィルタケース
７、７ｃ  上取付リング部
８、８ｃ  下取付リング部
９、９ａ、９ｂ、９ｃ  上下接続部
１２  上フランジ
１３  凹テーパ面
１６  下フランジ
２０、２０ｂ、２０ｃ、１４４、１６４、２５７  通過開口
４１、１２３、１４２、１６２、２０５、２５５  ケース本体
４２  ケース底部
４３、２３０、２５６  上蓋
４４、１７０  サポート支持部
４５  流入口
４６  流出口
４７  排出口
４８  バルブ
５０、１２８、１４５、１６５、２０６、２５８  濾液通過空間
５１  蓋支持パイプ
５５  流入管
５９、５９ａ  蓋支持棒
６０  押圧リング
６１  凸テーパ面
６５  スナップキャッチ
８１  流出管
９１、９２  サポート位置決め部材
９１ａ  リング本体
９１ｂ、９２ｂ  下部通過口
９２ａ  連結棒
１００、１５０、１８０、２４０、２９０  濾過システム
１２２  のぞき窓
１２４  内ケース
１４３  供給口
１４７  供給管
１７１  サポート底壁部
１７６  排出管
２１１、２６１  上支持リング
２１３、２６３  フランジ受けリング
２１５、２６５、２２２、２７２  Ｏリング（ガスケット）
２１７、２６７  環状上支持部
２１８  第２流入管
２２０、２７０  ケースフランジ（連結用フランジ部）
２２１、２７１  ケーステーパ面
２３１、２７５  カバーフランジ（連結用フランジ部）
２３２、２７６  カバーテーパ面
２３４  第１流入管
２３６、２７９  Ｖバンド軸継手（締結部材）
Ｃ  洗浄流体
Ｅ  濾液
Ｇ  原液（濾過対象液）
Ｋ  加工粉（固体粒子）
Ｒ  濾塊
【図１】
0005800385.tif 000002
【図２】
0005800385.tif 000003
【図３】
0005800385.tif 000004
【図４】
0005800385.tif 000005
【図５】
0005800385.tif 000006
【図６】
0005800385.tif 000007
【図７】
0005800385.tif 000008
【図８】
0005800385.tif 000009
【図９】
0005800385.tif 000010
【図１０】
0005800385.tif 000011
【図１１】
0005800385.tif 000012
【図１２】
0005800385.tif 000013
【図１３】
0005800385.tif 000014
【図１４】
0005800385.tif 000015
【図１５】
0005800385.tif 000016
【図１６】
0005800385.tif 000017
【図１７】
0005800385.tif 000018
【図１８】
0005800385.tif 000019
【図１９】
0005800385.tif 000020
【図２０】
0005800385.tif 000021